(57)【要約】【課題】運転者に与える違和感を低減しつつ、自車両後側方に位置する障害物に対する運転支援制御を適切に行うことができる車両運転支援の技術を提供する。【解決手段】自車両が自車両側方の障害物を追い抜いている状態若しくは追い抜いた状態になると予測される状態の少なくとも一方の状態である追い抜き状態を検出する。自車両の後側方に存在する障害物に自車両が接近することを防止する障害物接近防止制御を行う際に、上記検出に基づき追い抜き状態と判定すると、追い抜き状態と判定していない場合と比較して、上記障害物に対する障害物接近防止制御を抑制する。【選択図】図３
2011148479.tif 000002
【特許請求の範囲】
【請求項１】
少なくとも自車両の後側方を障害物検出エリアとし、その障害物検出エリアに存在する障害物を検出する側方障害物検出手段と、
上記側方障害物検出手段で検出した上記障害物に対する自車両の接近防止を支援する障害物接近防止制御を行う障害物接近防止制御手段と、
自車両を基準とした上記障害物の情報に基づき、自車両が上記障害物を追い抜いている状態若しくは追い抜いた状態になると予測される状態の少なくとも一方の状態である追い抜き状態を検出する追い抜き検出手段と、
上記追い抜き検出手段の検出に基づき追い抜き状態と判定すると、当該追い抜き状態と判定しない場合に比較して、上記障害物接近防止制御を抑制する制御抑制手段と、
を備えることを特徴とする車両運転支援装置。
【請求項２】
予め定められた所定時間後の自車両の位置である将来位置を推定する将来位置推定手段を備え、
上記障害物接近防止制御手段は、上記将来位置推定手段によって推定された自車両の所定時間後の位置に基づいて障害物接近防止制御の開始を判定し、
上記制御抑制手段は、上記追い抜き検出手段の検出に基づき追い抜き状態と判定すると、当該追い抜き状態と判定しない場合に比較して、上記障害物接近防止制御手段による障害物接近防止制御の開始を抑制することにより上記障害物接近防止制御を抑制することを特徴とする請求項１に記載した車両運転支援装置。
【請求項３】
上記制御抑制手段は、上記障害物検出エリアを小さくすることで開始を抑制することを特徴とする請求項２に記載した車両運転支援装置。
【請求項４】
上記障害物接近防止制御手段は、障害物若しくは車線区分線から予め定められた所定の距離に設定した制御開始位置よりも将来位置推定手段によって推定された自車両の所定時間後の位置が車線幅方向外側である場合に障害物接近防止制御の開始を判定し、
上記制御抑制手段は、上記追い抜き検出手段の検出に基づき追い抜き状態と判定すると、上記制御開始位置を障害物側に設定変更することで、障害物接近防止制御の開始を抑制することを特徴とする請求項２に記載した車両運転支援装置。
【請求項５】
上記制御抑制手段は、上記将来位置推定手段が将来位置を推定する際の上記所定時間を短くすることで、障害物接近防止制御の開始を抑制することを特徴とする請求項２に記載した車両運転支援装置。
【請求項６】
上記障害物接近防止制御手段は、上記障害物に対する自車両の接近を防止するように自車両を制御し、
上記制御抑制手段は、上記追い抜き検出手段の検出に基づき追い抜き状態と判定すると、当該追い抜き状態と判定しない場合に比較して、上記障害物接近防止制御手段による制御量を抑制することにより上記障害物接近防止制御を抑制することを特徴とする請求項１に記載した車両運転支援装置。
【請求項７】
自車両前方に存在する障害物を検出する前方障害物検出手段と、自車両が上記前方障害物検出手段で検出した前方障害物に到達するまでの障害物到達時間を算出する障害物到達時間算出手段と、を備え、
上記制御抑制手段は、上記到達時間算出手段で算出した障害物到達時間が短いほど、上記障害物接近防止制御の制御量の抑制量を大きくすることを特徴とする請求項６に記載の車両運転支援装置。
【請求項８】
自車走行車線前方の合流地点を検出する合流地点検出手段と、自車両が上記合流地点検出手段で検出した合流地点に到達するまでの合流地点到達時間を算出する合流地点到達時間算出手段と、を備え、
上記制御抑制手段は、上記合流地点到達時間算出手段で算出した合流地点到達時間が短いほど、上記障害物接近防止制御の制御量の抑制量を大きくすることを特徴とする請求項６に記載の車両運転支援装置。
【請求項９】
自車両の所定時間後の位置を推定する将来位置推定手段を備え、
上記障害物接近防止制御手段は、上記将来位置推定手段によって推定された自車両の所定時間後の位置に基づいて障害物接近防止制御の開始を判定し、
上記制御抑制手段は、上記追い抜き検出手段の検出に基づき追い抜き状態と判定すると、当該追い抜き状態と判定しない場合に比較して、上記障害物接近防止制御手段による障害物接近防止制御の開始を抑制すると共に、上記障害物接近防止制御手段による制御量を抑制することにより上記障害物接近防止制御を抑制することを特徴とする請求項１に記載した車両運転支援装置。
【請求項１０】
運転者の車線変更の意図の有無を検出する変更意図検出手段を備え、
上記制御抑制手段は、上記追い抜き検出手段の検出に基づき追い抜き状態と判定し且つ上記変更意図検出手段で車線変更意図を検出した場合に、上記障害物接近防止制御を抑制することを特徴とする請求項１から９のいずれか１項に記載した車両運転支援装置。
【請求項１１】
上記変更意図検出手段は、自車両に発生するヨーモーメント又は加速度の変化に基づき車線変更の意図の有無を検出することを特徴とする請求項１０に記載した車両運転支援装置。
【請求項１２】
上記変更意図検出手段は、車線区分線に対する自車両の相対的な動きに基づき車線変更の意図の有無を検出することを特徴とする請求項１０に記載した車両運転支援装置。
【請求項１３】
上記変更意図検出手段は、障害物に対する自車両の相対的な横方向への速度に基づき車線変更の意図の有無を検出することを特徴とする請求項１０に記載した車両運転支援装置。
【請求項１４】
運転者の車線変更の意図の確度を判定する変更意図確度判定手段を有し、
上記制御抑制手段は、変更意図確度判定手段が判定する上記車線変更意図の確度が高い場合、当該確度が低い場合に比べて、上記制御抑制手段による抑制を強くすることを特徴とする請求項１から１３のいずれか１項に記載した車両運転支援装置。
【請求項１５】
上記車線変更意図の確度は、方向指示器の状態、操舵角、操舵速度もしくは運転者の加速操作のうちの少なくとも一つに基づき判定することを特徴とする請求項１４に記載した車両運転支援装置。
【請求項１６】
上記障害物接近防止制御手段による障害物接近防止制御は、障害物から離れる方向へのヨーモーメントを自車両に発生、若しくは障害物への自車両の接近の報知の少なくとも一方の処理を行うことを特徴とする請求項１〜請求項１５のいずれか１項に記載した車両運転支援装置。
【発明の詳細な説明】
【技術分野】
【０００１】
本発明は、自車両後側方に位置する障害物への自車両の接近を防止するように運転者の運転を支援する車両運転支援装置に関する。
【背景技術】
【０００２】
従来の車両運転支援装置として、例えば特許文献１に記載の技術がある。この技術では、自車両の後側方の障害物を検出し、障害物を検出している場合には障害物に対する運転支援制御が必要と判定して運転者による操舵を抑制する。これによって、上記障害物への自車両の接近を防止することが開示されている。
【先行技術文献】
【特許文献】
【０００３】
【特許文献１】特開平８−２５３１６０号公報
【発明の概要】
【発明が解決しようとする課題】
【０００４】
しかしながら、上記特許文献１に記載の技術にあっては、運転者が、障害物を認識しながら当該障害物側へ操舵を行った場合であっても、自車両後側方に障害物が存在した場合には、当該障害物への接近を防止するよう自車両を制御する。そのため、運転者に違和感を与える可能性がある。
本発明は、上記のような点に鑑み、運転者に与える違和感を低減しつつ、自車両後側方に位置する障害物に対する運転支援制御を適切に行うことができる車両運転支援装置を提供することを課題としている。
【課題を解決するための手段】
【０００５】
上記課題を解決するために、本発明は、自車両が自車両側方の障害物を追い抜いている状態若しくは追い抜いた状態になると予測される状態の少なくとも一方の状態である追い抜き状態を検出する。自車両の後側方に存在する障害物に対する自車両の接近防止を支援する障害物接近防止制御を行う際に、上記検出に基づき追い抜き状態と判定すると、追い抜き状態と判定していない場合と比較して、上記障害物に対する障害物接近防止制御を抑制する。
【発明の効果】
【０００６】
自車両が障害物を追い抜く若しくは追い抜いた状態になると予測される状態と判断できるような状況で、自車両が障害物に接近して障害物接近防止制御の開始条件を満足するような場合には、自車両の運転者は障害物の存在を認識しながら障害物側への車線変更する意図が有ると想定される。本発明においては、このような場合に、障害物接近防止制御を抑制する結果、運転者の違和感を抑制することが可能となる。すなわち、運転者に与える違和感を低減しつつ、自車両後側方に位置する障害物に対する運転支援制御を適切に行うことができる。
【図面の簡単な説明】
【０００７】
【図１】本発明に基づく実施形態に係る装置の概要構成図である。
【図２】後側方の障害物検出エリアその他を説明する概念図である。
【図３】コントロールユニットの構成を説明する図である。
【図４】第１実施形態におけるコントロールユニットの処理手順を示すフローチャートである。
【図５】左側用追い抜き確度量αＬ１算出の概念を示すブロック図である
【図６】左側用側方障害物方向への車線変更検出確度量αＬ２算出の概念を示すブロック図である。
【図７】自車両と障害物との関係を示す概念図である。
【図８】本実施形態における動作を説明する図である。
【図９】第２実施形態におけるコントロールユニットの処理手順を示すフローチャートである。
【図１０】第３及び第４実施形態におけるコントロールユニットの処理手順を示すフローチャートである。
【図１１】第４実施形態を説明するための概念図である。
【図１２】第５実施形態におけるコントロールユニットの処理手順を示すフローチャートである。
【図１３】左側用ゲインＫ３ｒｅｃｖの算出処理手順を示すフローチャートである。
【図１４】自車走行車線の合流地点を示す図である。
【図１５】第５実施形態における動作を説明する図である。
【発明を実施するための形態】
【０００８】
以下、本発明の実施形態について図面を参照して説明する。
（第１実施形態）
本実施形態では、後輪駆動車両に対し、車両運転支援装置を搭載する場合について説明する。なお、対象とする車両として、前輪駆動車両や四輪駆動車両を適用することもできる。また、ＥＶ車両やハイブリッド車両であっても適用可能である。
【０００９】
（構成）
図１は、本実施形態に係る装置の概要構成図である。
図中符号１はブレーキペダルである。ブレーキペダル１は、ブースタ２を介してマスタシリンダ３に連結する。また、図中符号４はリザーバである。
マスタシリンダ３は、流体圧回路３０を介して各輪の各ホイールシリンダ６ＦＬ〜６ＲＲに連結する。これにより、制動制御が作動しない状態では、運転者によるブレーキペダル１の踏み込み量に応じて、マスタシリンダ３で制動流体圧を昇圧する。その昇圧した制動流体圧を、流体圧回路３０を通じて、各車輪５ＦＬ〜５ＲＲの各ホイールシリンダ６ＦＬ〜６ＲＲに供給する。
【００１０】
制動流体圧制御部７は、流体圧回路３０中のアクチュエータを制御して、各輪への制動流体圧を個別に制御する。そして、各輪への制動流体圧を、制駆動力コントロールユニット８からの指令値に応じた値に制御する。アクチュエータとしては、各ホイールシリンダ液圧を任意の制動液圧に制御可能な比例ソレノイド弁がある。
【００１１】
ここで、制動流体圧制御部７及び流体圧回路３０は、例えばアンチスキッド制御（ＡＢＳ）、トラクション制御（ＴＣＳ）又はビークルダイナミックスコントロール装置（ＶＤＣ）で使用する制動流体圧制御部を利用すればよい。制動流体圧制御部７は、単独で各ホイールシリンダ６ＦＬ〜６ＲＲの制動流体圧を制御する構成とすることもできる。そして、後述する制駆動力コントロールユニット８から制動流体圧指令値を入力した場合には、その制動流体圧指令値に応じて各制動流体圧を制御する。
【００１２】
また、この車両は、駆動トルクコントロールユニット１２を備える。
駆動トルクコントロールユニット１２は、駆動輪である後輪５ＲＬ、５ＲＲへの駆動トルクを制御する。この制御は、エンジン９の運転状態、自動変速機１０の選択変速比、及びスロットルバルブ１１のスロットル開度を制御することで実現する。すなわち、駆動トルクコントロールユニット１２は、燃料噴射量や点火時期を制御する。また同時に、スロットル開度を制御する。これにより、エンジン９の運転状態を制御する。
【００１３】
また、駆動トルクコントロールユニット１２は、制御の際の情報である駆動トルクＴｗの値を、制駆動力コントロールユニット８に出力する。
なお、この駆動トルクコントロールユニット１２は、単独で後輪５ＲＬ、５ＲＲの駆動トルクを制御することも可能である。ただし、制駆動力コントロールユニット８から駆動トルク指令値を入力したときには、その駆動トルク指令値に応じて駆動輪トルクを制御する。
【００１４】
またこの車両前部には、画像処理機能付きの撮像部１３を備える。撮像部１３は、走行車線内の自車両の位置を検出するために使用する。この撮像部１３は、例えばＣＣＤ（Ｃｈａｒｇｅ  Ｃｏｕｐｌｅｄ  Ｄｅｖｉｃｅ）カメラからなる単眼カメラで構成する。
撮像部１３は、自車両前方を撮像する。そして、撮像部１３は、撮像した自車両前方の撮像画像について画像処理を行い、白線（レーンマーカ）等の車線区分線を検出し、検出した白線に基づいて、走行車線を検出する。
【００１５】
さらに、撮像部１３は、その検出した走行車線に基づいて、自車両の走行車線と自車両の前後方向軸とのなす角（ヨー角）φｆ、走行車線に対する横変位Ｘｆ、及び走行車線の曲率β等を算出する。撮像部１３は、算出したヨー角φｆ、横変位Ｘｆ、及び走行車線の曲率β等を、制駆動力コントロールユニット８に出力する。
【００１６】
ここで、撮像部１３は、走行車線をなす白線を検出して、その検出した白線に基づき、ヨー角φｆを算出している。このため、ヨー角φｆは、撮像部１３の白線の検出精度に大きく影響する。
なお、走行車線の曲率βを、後述のステアリングホイール２１の操舵角δに基づいて算出することもできる。
【００１７】
また、この車両は、レーダー装置２４Ｌ／Ｒを備える。レーダー装置２４Ｌ／Ｒは、それぞれ左右の後側面方向に存在する障害物を検出する為のセンサである。このレーダー装置２４Ｌ／Ｒは、図２に示すように、自車両側方の障害物を検出可能となっている。そして、その検出可能範囲のうち、少なくとも後側方に位置する運転者の死角となるエリアを障害物検出エリアＫ−ＡＲＥＡとしてを設定し、この障害物検出エリアＫ−ＡＲＥＡに障害物が存在する場合に障害物が存在すると判定する。また、レーダー装置２４Ｌ／Ｒは、障害物との相対横位置ＰＯＳＸｏｂｓｔ、相対縦位置ＤＩＳＴｏｂｓｔ、相対縦速度ｄＤＩＳＴｏｂｓｔを左右それぞれ検出できるものとする。なおここで、本実施例においては自車両走行車線の延在方向を縦方向、自車両走行車線の幅方向を横方向としている。またレーダー装置２４Ｌ／Ｒは例えばミリ波レーダーからなる。
【００１８】
また、この車両には、レーダー装置２３を備える。レーダー装置２３は、自車両の前方に存在する障害物を検出する為のセンサである。このレーダー装置２３は、前方障害物との距離Ｄｉｓｔ＿ｐｒｅ、前方障害物との相対速度Ｒｅｌｖｓｐ＿ｐｒｅを検出できるものとする。
また、この車両は、マスタシリンダ圧センサ１７、アクセル開度センサ１８、操舵角センサ１９、方向指示スイッチ２０、車輪速センサ２２ＦＬ〜２２ＲＲを備える。
【００１９】
マスタシリンダ圧センサ１７は、マスタシリンダ３の出力圧、すなわちマスタシリンダ液圧Ｐｍを検出する。アクセル開度センサ１８は、アクセルペダルの踏込み量、すなわちアクセル開度θｔを検出する。操舵角センサ１９は、ステアリングホイール２１の操舵角（ステアリング舵角）δを検出する。方向指示スイッチ２０は、方向指示器による方向指示操作を検出する。車輪速センサ２２ＦＬ〜２２ＲＲは、各車輪５ＦＬ〜５ＲＲの回転速度、所謂車輪速度Ｖｗｉ（ｉ＝ｆｌ、ｆｒ、ｒｌ、ｒｒ）を検出する。そして、これらセンサ等は、検出した検出信号を、制駆動力コントロールユニット８に出力する。
【００２０】
また、この車両に、ナビゲーションシステム４０を搭載する。ナビゲーションシステム４０は、道路情報とともに、運転者の目的地の入力に基づいて設定した経路情報を、制駆動力コントロールユニット８に出力する。
図３は、制駆動力コントロールユニット８の処理を模式的に表わすブロック図である。この制駆動力コントロールユニット８の処理は後述するフローチャート図４に基づいて行われるが、この図３ではこの処理をブロックとして模式的に記載している。
【００２１】
図３に示すように、制駆動力コントロールユニット８は、将来位置予測手段８Ａ、障害物接近防止制御手段８Ｂ、追い抜き検出手段８Ｃ、及び変更意図検出手段８Ｄを備える。また、障害物接近防止制御手段８Ｂは制御抑制手段８Ｂａを備える。
【００２２】
将来位置予測手段８Ａは、操舵入力検出手段で検出した運転者の操舵入力に基づいて、前方注視時間Ｔｔ経過後の自車両の将来位置（走行車線幅方向における自車両の将来位置であり、後述する自車両予測位置）を予測する。
側方障害物検出手段５０はレーダー装置２４Ｌ／Ｒに相当し、自車両後側方の障害物検出エリアＫ−ＡＲＥＡの障害物の存在有無、自車両に対する障害物の相対横位置ＰＯＳＸｏｂｓｔ、相対縦位置ＤＩＳＴｏｂｓｔ、相対縦速度ｄＤＩＳＴｏｂｓｔ等の自車両を基準とした上記障害物の情報を検出する。
【００２３】
障害物接近防止制御手段８Ｂは、側方障害物検出手段５０で検出した障害物に対し自車両の接近防止を支援する障害物接近防止制御を行う。具体的には、側方障害物検出手段５０で自車両後側方の障害物を検出していると判定している場合に、自車両の将来位置が制御開始位置（車線幅方向で所定の横位置）に到達したことで、障害物接近防止制御の制御開始を検出し、障害物接近防止制御を実施する。
【００２４】
追い抜き検出手段８Ｃは、側方障害物検出手段５０にて検出された自車両を基準とした上記障害物の情報に基づき、自車両が上記障害物を追い抜いている状態若しくは追い抜いた状態になると予測される状態の少なくとも一方の状態である追い抜き状態を検出し、その検出情報を制御抑制手段８Ｂａに出力する。
【００２５】
変更意図検出手段８Ｄは、運転者の車線変更意図の確度を算出し、算出した車線変更意図の確度が高い場合には、運転者に車線変更意図が有ると判定して、その情報を制御抑制手段８Ｂａに出力する。
制御抑制手段８Ｂａは、上記追い抜き検出手段８Ｃの検出に基づき追い抜き状態と判定すると、当該追い抜き状態と判定しない場合に比較して、上記障害物接近防止制御を抑制する。
【００２６】
図４は、制駆動力コントロールユニット８で実行する回避制御処理手順を示すフローチャートである。
この回避制御処理は、所定サンプリング時間ΔＴ毎（例えば、１０ｍｓｅｃ毎）にタイマ割込によって実行する。なお、この図４に示す処理内には通信処理を設けていないが、演算処理によって取得した情報は、随時記憶装置に更新記憶すると共に、必要な情報を随時記憶装置から読み出す。
【００２７】
先ずステップＳ１０で、制駆動力コントロールユニット８は、上記各センサやコントローラ、コントロールユニットから各種データを読み込む。具体的には、車輪速センサ２２ＦＬ〜２２ＲＲ、操舵角センサ１９、アクセル開度センサ１８、マスタシリンダ圧センサ１７の各センサが検出した、各車輪速度Ｖｗｉ、操舵角δ、アクセル開度θｔ、マスタシリンダ液圧Ｐｍ、及び方向指示スイッチ２０の方向スイッチ信号、撮像部１３で検出されたヨー角φｆ、横変位Ｘｆ、及び走行車線の曲率β、レーダー装置２４Ｌ／Ｒ（側方障害物検出手段５０）にて検出された側方障害物の情報を取得する。
【００２８】
次にステップＳ２０で、制駆動力コントロールユニット８は、車速Ｖを算出する。すなわち、車速Ｖを、下記式のように車輪速センサ２２ＦＬ〜２２ＲＲにて検出された車輪速度Ｖｗｉに基づいて算出する。
Ｖ＝（Ｖｗｒｌ＋Ｖｗｒｒ）／２  （：前輪駆動の場合），
Ｖ＝（Ｖｗｆｌ＋Ｖｗｆｒ）／２  （：後輪駆動の場合）  ………（１）
ここで、Ｖｗｆｌ、Ｖｗｆｒは左右前輪それぞれの車輪速度である。Ｖｗｒｌ、Ｖｗｒｒは左右後輪それぞれの車輪速度である。すなわち、上記（１）式では、車速Ｖを、従動輪の車輪速の平均値として算出している。なお、本実施形態では、後輪駆動の車両であるので、後者の式、すなわち前輪の車輪速度により車速Ｖを算出する。
【００２９】
また、ＡＢＳ（Ａｎｔｉ−ｌｏｃｋ  Ｂｒａｋｅ  Ｓｙｓｔｅｍ）制御などの別の自動制動制御装置が作動している場合には、その別の制動制御装置で推定している推定車体速度を取得して、上記車速Ｖとして用いる。
【００３０】
ステップＳ３０では、制駆動力コントロールユニット８は、左右の各レーダー装置２４Ｌ／Ｒからの信号に基づき、自車両ＭＭの左右後側方に設定した障害物検出エリアＫ−ＡＲＥＡに対する、障害物ＳＭの存在Ｌｏｂｓｔ・Ｒｏｂｓｔの有無を取得する。また、自車両ＭＭに対する後側方障害物ＳＭの相対位置および相対速度も取得する。ここで、自車両ＭＭ後側方とは、自車両ＭＭに対し側方及びその後方位置を指す。すなわち、自車両ＭＭ後側方には自車両ＭＭの斜め後方位置も含む。
【００３１】
次に、ステップＳ４０では、制駆動力コントロールユニット８は、撮像部１３から、現在走行している走行路における自車両ＭＭの横変位Ｘｆ、及び走行車線の曲率βを読み込む。
ただし、走行車線の曲率βの取得は、撮像部１３が撮像した画像に基づいて算出するものに限定しない。例えば、ナビゲーションシステムに記憶された地図情報に基づいて、自車位置における走行車線の曲率情報を取得してもよい。
【００３２】
また、現在走行している走行路に対する自車両ＭＭのヨー角φｆを算出する。このヨー角φｆは、レーン内の走行状況を検出するために使用する。
【００３３】
本実施形態では、このヨー角φｆは、例えば撮像部１３により撮像した車両前方の画像を俯瞰画像に変換し、変換した画像の上下方向に対する白線（レーンマーカー）の角度によって検出することができる。
【００３４】
なお、撮像部１３が撮像した画像内の自車両近傍の白線に基づいて、ヨー角φｆを算出してもよい。この場合には、例えば、自車両ＭＭの横変位Ｘｆの変化量を用いて、下記（２）式によりヨー角φｆを算出する。なおここで、横変位Ｘｆは白線（レーンマーカ）を基準とした自車両の走行車線内の車線幅方向に位置であり、白線から自車両までの距離に相当する。
φｆ＝ｔａｎ-1（ｄＸ′／Ｖ（＝ｄＸ／ｄＹ））  ………（２）
ここで、ｄＸは横変位Ｘｆの単位時間当たりの変化量、ｄＹは単位時間当たりの進行方向の変化量、ｄＸ´は上記変化量ｄＸの微分値である。
【００３５】
なお、近傍の白線に基づいてヨー角φｆを算出する場合、上記（２）式のように、横変位Ｘｆを用いてヨー角φｆを算出することに限定しない。例えば、近傍で検出した白線を遠方に延長し、その延長した白線に基づいて、ヨー角φｆを算出してもよい。これら車両前方画像に基づいた自車両ＭＭの横変位Ｘｆ、走行車線の曲率β、ヨー角φｆ等の算出方法は、例えば車線追従走行制御装置等の白線を認識して自車両を制御する各種装置に既に採用されている公知の技術であるので詳述はしない。
【００３６】
ステップＳ５０では、自車両の障害物に対する追い抜き状態の検出を行う。
追い抜き状態の検出は、レーダー装置２４Ｌ／Ｒ（側方障害物検出手段５０）で検出された自車両を基準とした障害物の情報である、相対距離Ｄｉｓｔ、相対速度Ｒｅｌｖｓｐ、検出角度Ａｎｇｌｅの情報に基づき検出する。相対距離Ｄｉｓｔ、相対速度Ｒｅｌｖｓｐ、検出角度Ａｎｇｌｅは、それぞれ図２の関係にある。
【００３７】
相対距離Ｄｉｓｔは、自車両に対する障害物の相対距離であり、上記相対縦位置ＤＩＳＴｏｂｓｔに相当し、以下では相対距離Ｄｉｓｔとも記載する。相対速度Ｒｅｌｖｓｐは、障害物に対する自車両の相対速度であって、例えば上記相対縦速度ｄＤＩＳＴｏｂｓｔを微分して算出することができる。相対速度Ｒｅｌｖｓｐは、自車両が側方障害物から離れる方向であるとき（障害物に比べ自車両進行方向への自車両の速度が大きいとき）を正とする。検出角度Ａｎｇｌｅは、自車両に対する障害物の検出角度であり、上記相対横位置ＰＯＳＸｏｂｓｔ及び相対縦位置ＤＩＳＴｏｂｓｔから求める。この検出角度Ａｎｇｌｅは、障害物が自車両の真横に位置するときを０度とする。そして、検出角度Ａｎｇｌｅは、その自車両の真横位置を基準として、自車両に対する障害物の位置が自車両の後方に位置するほど大きな値となり、自車両の真後ろに位置に障害物が位置するときを９０度に設定する。ここで、真横の位置は、例えばレーダー装置２４Ｌ／Ｒの設置位置の真横位置としたり、車両重心位置などの真横位置としたりすればよい。
【００３８】
そして、自車両を基準とした左側の障害物の情報に基づき、下記の条件（ａ）〜（ｃ）を満足する場合に追い抜き状態である可能性が高いことを検出する。若しくは、下記の条件（ａ）〜（ｃ）のいずれかを満足する場合に、追い抜き状態である可能性が高いと検出しても良いが、追い抜き状態である可能性が高いことをより正確に検出する為には下記の条件（ａ）〜（ｃ）の全てを満足することが好ましい。
（ａ）相対距離Ｄｉｓｔ  ＞  相対距離の判定閾値
（ｂ）相対速度Ｒｅｌｖｓｐ  ＞  相対速度の判定閾値
（ｃ）検出角度Ａｎｇｌｅ  ＞  検出角度の判定閾値
【００３９】
ここで、相対距離の判定閾値は、例えば３ｍに設定する。相対速度の判定閾値は、例えば２〜３ｍ／ｓに設置する。検出角度の判定閾値は例えば４０〜４５度に設定する。ここで追い抜き状態とは、自車両が障害物を追い抜いた後に、自車両が障害物側に車線変更可能な状態、若しくは車線変更可能な状態になると予測された状態を言う。従ってこれらの判定閾値は、経験値や実験などによって、自車両が障害物側に車線変更可能な状態、若しくは車線変更可能な状態になると予測出来る状態に基づき設定する。
【００４０】
そして、追い抜き状態である可能性が高いとの検出が、予め設定した追い抜き判定用の設定時間だけ継続すると（予め設定した回数だけ連続して割り込み処理が実行されると）、ステップＳ５５に進んで追い抜き状態であるか否かを判定する。継続判定は、処理が行われる毎にカウントアップするカウンタを使用して、該カウンタの値に基づいて判定することが可能である。なお、追い抜き状態である可能性が高いと検出されている状態が所定時間継続しなくとも、上記（ａ）〜（ｃ）の条件が満足された場合にステップＳ５５に進んで追い抜き状態であるか否かを判定としても良い。本実施例においては追い抜き状態である可能性が高いことを正確に判定する為に、上記のように追い抜き状態であることが所定時間継続したか否かを判定している。
【００４１】
さらにステップＳ５５では、自車両を基準とした左側の障害物の情報に基づき、図５で示すようにして、左側用追い抜き確度量αＬ１を算出する。
すなわち、下記式に基づき、左側用追い抜き確度量αＬ１を求める。
αＬ１＝ＫＤ（Ｄｉｓｔ）  ×ＫＲ（Ｒｅｌｖｓｐ）  ×ＫＡ（Ａｎｇｌｅ）
ここで、ＫＤ（Ｄｉｓｔ）は、相対距離Ｄｉｓｔを変数として図５の５０１ａに示すマップに基づき算出される値であって、相対距離Ｄｉｓｔが相対距離の判定閾値ＫＤ１以下の場合に予め定められた所定値となり、相対距離Ｄｉｓｔが相対距離の判定閾値ＫＤ１より大きくなるほど小さな値となる。ＫＤ（Ｄｉｓｔ）の値はマップの代わりに、図５に示すマップを予め関数として記憶しておき、記憶した関数を使用して求めても良い。なお、ステップＳ５０で上記（ａ）〜（ｃ）の条件を満足しないと判定された場合には、本ステップＳ５５においては左側用追い抜き確度量αＬ１＝１に設定する。
【００４２】
ＫＲ（Ｒｅｌｖｓｐ）は、相対速度Ｒｅｌｖｓｐを変数として図５の５０１ｂに示すマップに基づき算出される値であって、相対速度Ｒｅｌｖｓｐが判定閾値ＫＲ１以下の場合に予め定めた所定値となり、相対速度Ｒｅｌｖｓｐが判定閾値ＫＲ１より大きくなるほど小さな値となる。ＫＲ（Ｒｅｌｖｓｐ）の値はマップの代わりに、図５に示すマップを予め関数として記憶しておき、記憶した関数から求めても良い。
【００４３】
ＫＡ（Ａｎｇｌｅ）は、検出角度Ａｎｇｌｅを変数として図５の５０１ｃに示すマップに基づき算出される値であって、検出角度Ａｎｇｌｅが判定閾値ＫＡ１以下の場合に予め定めた所定値となり、検出角度Ａｎｇｌｅが判定閾値ＫＡ１より大きくなるほど小さな値となる。ＫＡ（Ａｎｇｌｅ）の値はマップの代わりに、図５に示すマップを予め関数として記憶しておき、記憶した関数から求めても良い。
【００４４】
そして、αＬ１が予め設定した追い抜き検出用の閾値以下となった場合に、追い抜き状態であると検出する。追い抜き検出用の閾値は１未満に設定する。この追い抜き検出用の閾値は、追い抜き検出の確度をどの程度に設定するかによって異なるが、実験や経験値から設定すればよい。
ここで、上述の図５は、左側用追い抜き確度量αＬ１算出の概念を示すブロック図である。このブロック図を使用して左側用追い抜き確度量αＬ１算出の処理例について説明する。
【００４５】
第１追い抜き確度量算出部５０１ａは、相対距離Ｄｉｓｔに基づいて、第１の追い抜き確度量算出マップを参照して第１の追い抜き確度量ＫＤ（Ｄｉｓｔ）を算出する。
ここで、第１の追い抜き確度量算出マップは、縦軸に第１の追い抜き確度量ＫＤ、横軸に相対距離Ｄｉｓｔをとる。そして、相対距離Ｄｉｓｔが相対距離の判定閾値ＫＤ１まではＫＤ＝１となり、判定閾値ＫＤ１を超える領域では、Ｄｉｓｔが大きいほど第１の追い抜き確度量ＫＤが小さくなるように設定する。
【００４６】
第２追い抜き確度量算出部５０１ｂは、相対速度Ｒｅｌｖｓｐに基づいて、第２の追い抜き確度量算出マップを参照して第２の追い抜き確度量ＫＲ（Ｒｅｌｖｓｐ）を算出する。
ここで、第２の追い抜き確度量算出マップは、縦軸に第２の追い抜き確度量ＫＲ、横軸に相対速度Ｒｅｌｖｓｐをとる。そして、相対速度Ｒｅｌｖｓｐが相対速度の判定閾値ＫＲ１（＝０）まではＫＤ＝１となり、相対速度の判定閾値ＫＲ１を超える領域では、相対速度Ｒｅｌｖｓｐが大きいほど第２の追い抜き確度量ＫＤが小さくなるように設定する。
【００４７】
第３追い抜き確度量算出部５０１ｃは、後側方障害物の検出角度Ａｎｇｌｅに基づいて、第３の追い抜き確度量算出マップを参照して第３の追い抜き確度量ＫＡ（Ａｎｇｌｅ）を算出する。
【００４８】
ここで、第３の追い抜き確度量算出マップは、縦軸に第３の追い抜き確度量ＫＡ、横軸に検出角度Ａｎｇｌｅをとる。そして、検出角度Ａｎｇｌｅが検出角度の判定閾値ＫＡ１まではＫＡ＝１となり、判定閾値ＫＡ１を超える領域では、Ａｎｇｌｅが大きいほど第３の追い抜き確度量ＫＡが小さくなるように設定する。
なお、第１〜第３の追い抜き確度量ＫＤ、ＫＲ、ＫＡには、それぞれ下限値（＞０）を設ける。
【００４９】
本実施形態では、相対距離Ｄｉｓｔが大きいほど、相対速度Ｒｅｌｖｓｐが大きいほど、検出角度Ａｎｇｌｅが９０°に近いほど、追い抜き状態の検出確度が高いと判断出来る。
【００５０】
追い抜き確度量出力部５０１ｄは、第１〜第３の追い抜き確度量ＫＤ、ＫＲ、ＫＡを入力し、最終的な追い抜き確度量αＬ１を出力する。ここでは、第１〜第３の追い抜き確度量ＫＤ、ＫＲ、ＫＡをそれぞれ積算することで、追い抜き確度量αＬ１を算出する。
ここで、追い抜き状態の検出は、例えば下記式を満足するか否かによって検出する。
αＬ１  ＜  Ｄ＿αＬ１
ただし、Ｄ＿αＬ１は１以下の実験等によって予め定められた値とする。追い抜き状態検出の確度を高く設定する場合には、Ｄ＿αＬ１を０．５など小さい値に設定すればよい。ここで、αＬ１が１よりも小さい場合には、上述の（ａ）〜（ｃ）のいずれかを満足した状態となっている。そしてαＬ１は、小さい値となるほど追い抜き状態検出の確度が高いことを示している。
【００５１】
また同様な処理を行うことで、自車両の右側の障害物の情報に基づき、右側用追い抜き確度量αＲ１も同様の判定により算出する。
このように、ステップＳ５５では、ステップＳ５０の判定にて追い抜き状態である可能性が高いと判定された場合に、追い抜き状態の確度に基づいて追い抜き状態であるか否かの判定を行って、正確に追い抜き状態を判定している。
【００５２】
ここで、追い抜き状態の検出確度を示す追い抜き確度量αＬ１（αＲ１）が、予め設定した追い抜き検出用の閾値（＜１）以下となった状態（追い抜き状態を検出している状態）が予め設定した時間継続すると、追い抜き状態の判定を示すフラグＦ＿Ｏｖｅｒｔａｋｅを「１」に設定する。なお、追い抜き状態の検出確度を示す追い抜き確度量αＬ１（αＲ１）が、予め設定した追い抜き検出用の閾値（＜１）以下となったら（追い抜き状態と検出したら）、追い抜き状態の判定を示すフラグＦ＿Ｏｖｅｒｔａｋｅを「１」に設定しても良い。本実施形態では、より確実に追い抜き状態となったことを検出するため、追い抜き状態を検出した状態が予め設定した時間継続したか否かを要件としている。なお、非追い抜き状態の場合には、フラグＦ＿Ｏｖｅｒｔａｋｅを「０」に設定する。
【００５３】
ここで、ステップＳ５５で上記追い抜き確度量αＬ１（αＲ１）を求める際に、相対距離Ｄｉｓｔ、相対速度Ｒｅｌｖｓｐ、検出角度Ａｎｇｌｅの全てを使用する場合を例示しているが、この３つのうちの１つ又は２の障害物情報によって、上記追い抜き確度量αＬ１（αＲ１）を求めても良い。
また、ステップＳ５５の追い抜き状態の判定は次のように処理をしても良い。
【００５４】
すなわち、判定フラグＦ＿ＯｂｓｔＦｒｏｎｔ２Ｒｅａｒを設ける。この判定フラグＦ＿ＯｂｓｔＦｒｏｎｔ２Ｒｅａｒは、対象とする障害物が自車両よりも前方にあった状態から側方もしくは後方へと推移した際に、障害物が認識範囲から抜けるまでの間だけ、「１」に設定する。そして、この判定フラグＦ＿ＯｂｓｔＦｒｏｎｔ２Ｒｅａｒが１でかつ追い抜き確度量αＬ１（αＲ１）が追い抜き状態の判定閾値以下となった場合に、追い抜き状態と判定して、追い抜き状態の判定を示すフラグＦ＿Ｏｖｅｒｔａｋｅを１に設定しても良い。これにより、更に正確に追い抜き状態を判定することができる。
【００５５】
なお、追い抜き状態の判定を示すフラグＦ＿ＯｖｅｒｔａｋｅはαＬ１（αＲ１）が追い抜き状態の判定閾値を越えた場合（追い抜き状態の検出状態で無くなった場合）に「０」に再設定する。フラグＦ＿Ｏｖｅｒｔａｋｅを「０」に再設定する際のαＬ１（αＲ１）の閾値には解除され難い方向へヒステリシスを設けても良い。すなわち、解除用の閾値は、追い越し状態と判定する際の閾値よりも高く設定しておく。また追い抜き状態の判定を示すフラグＦ＿Ｏｖｅｒｔａｋｅは一度設定された場合に、対象物体の検出がされない状況になった際に「０」の設定をするようにしても良い。
【００５６】
また、追い抜き状態の判定を示すフラグＦ＿Ｏｖｅｒｔａｋｅは一度「１」に設定された後、予め定められた所定時間保持された後にクリアされる（「０」に設定される）ものとする。ここで、上記フラグＦ＿Ｏｖｅｒｔａｋｅをクリアする所定時間は単に時間であっても良いし、追い抜き状態が検出された時点からの自車両の走行距離が予め定められた所定の距離となるまでの時間であっても良い。その他、例えば自車両と障害物の相対距離が予め定められた所定の距離以上となるまでの時間であっても良く、上記所定時間は適宜変更可能な値である。
【００５７】
次に、ステップＳ６０では、障害物側への運転者による車線変更操作の意図の有無を検出をする。
【００５８】
本実施形態では、運転者が操作する舵角操作、アクセル操作の情報に基づき、運転者の意図による左側の障害物方向への車線変更操作の意図を判定する。例えば、後述するように自車両の切り増し操舵角δ、舵角速度Ｄδ、アクセル踏み込み量θｔ、方向スイッチ信号（ターンシグナル信号）により、運転者による左側用側方障害物方向への車線変更検出確度量αＬ２を算出する。ここで、切り増し操舵角δは、操舵角センサからの操舵角情報によって算出できる。舵角速度Ｄδは、操舵角センサからの操舵角情報を微分処理することで算出することが出来る。アクセル踏み込み量θｔは、アクセル開度センサからのアクセル開度情報によって算出することが出来る。
【００５９】
そして、下記式によって左側用車線変更検出確度量αＬ２を算出する。
αＬ２  ＝Ｋｔ（方向スイッチ信号）×Ｋｓ（δ）×ＫＤｓ（Ｄδ）×ＫＡＣ（θｔ）
この左側用車線変更検出確度量αＬ２の算出処理を図６を参照して説明する。
【００６０】
図６は、左側用車線変更検出確度量αＬ２算出の概念を示すブロック図である。
第１車線変更検出確度量算出部６０１ａは、方向スイッチ信号に基づき、第１の車線変更検出確度量算出マップを参照して第１の車線変更検出確度量Ｋｔを算出する。
【００６１】
ここで、第１の車線変更検出確度量算出マップは、左側への車線変更指示の方向スイッチ信号が無い場合には、第１の車線変更検出確度量Ｋｔ＝１とし、左側への車線変更指示の方向スイッチ信号を検出すると第１の車線変更検出確度量Ｋｔ＝０に設定するように設定する。
【００６２】
第２車線変更検出確度量算出部６０１ｂは、操舵角δに基づいて、第２の車線変更検出確度量算出マップを参照して第２の車線変更検出確度量Ｋｓを算出する。
ここで、第２の車線変更検出確度量算出マップは、縦軸に第２の車線変更検出確度量Ｋｓ、横軸に操舵角δをとる。そして、操舵角δが操舵角の判定閾値δ１以下ではＫｓ＝１となり、操舵角の判定閾値δ１を超える領域では、操舵角δが大きいほど第２の車線変更検出確度量Ｋｓが小さくなるように設定する。
【００６３】
第３車線変更検出確度量算出部６０１ｃは、舵角速度Ｄδに基づいて、第３の車線変更検出確度量算出マップを参照して第３の車線変更検出確度量ＫＤｓを算出する。
ここで、第３の車線変更検出確度量算出マップは、縦軸に第３の車線変更検出確度量ＫＤｓ、横軸に舵角速度Ｄδをとる。そして、舵角速度Ｄδが操舵速度の判定閾値Ｄδ１以下ではＫＤｓ＝１となり、操舵速度の判定閾値Ｄδ１を超える領域では、舵角速度Ｄδが大きいほど第３の車線変更検出確度量ＫＤｓが小さくなるように設定する。
【００６４】
第４車線変更検出確度量算出部６０１ｄは、アクセル踏み込み量θｔに基づいて、第４の車線変更検出確度量算出マップを参照して第４の車線変更検出確度量ＫＡｃを算出する。
【００６５】
ここで、第４の車線変更検出確度量算出マップは、縦軸に第４の車線変更検出確度量ＫＡｃ、横軸にアクセル踏み込み量θｔをとる。そして、アクセル踏み込み量θｔが踏み込み量の判定閾値θｔ１以下ではＫＡｃ＝１となり、踏み込み量の判定閾値θｔ１を超える領域では、アクセル踏み込み量θｔが大きいほど第４の車線変更検出確度量ＫＡｃが小さくなるように設定する。
【００６６】
なお、図６には図示されていないが、第５車線変更検出確度量算出部を設け、アクセル踏み込み速度に基づいて、第５の車線変更検出確度量算出マップを参照して第５の車線変更検出確度量を算出して使用しても良い。この第５の車線変更検出確度量算出マップは、縦軸に第５の車線変更検出確度量、横軸にアクセル踏み込み速度をとる。そして、アクセル踏み込み速度が踏み込み速度の判定閾値以下では第５の車線変更検出確度量を「１」とし、踏み込み速度の判定閾値を超える領域では、アクセル踏み込み速度が大きいほど第５の車線変更検出確度量が小さくなるように設定する。
【００６７】
なお、第２〜第５の車線変更検出確度量には、それぞれ下限値（＞０）を設ける。
車線変更検出確度量出力部６０１ｅは、第１〜第４の車線変更検出確度量を入力し、最終的な車線変更検出確度量αＬ２を出力する。ここでは、第１〜第４の車線変更検出確度量をそれぞれ積算することで、車線変更検出確度量αＬ２を算出する。すなわち、下記式によって車線変更検出確度量αＬ２を算出する。
αＬ２    ＝  Ｋｔ  ×Ｋｓ  ×ＫＤｓ  ×ＫＡｃ
【００６８】
なお、追い抜き状態と判定した時からの舵角増加量、もしくはアクセル踏み込み増加量に応じて車線変更検出確度量αＬ２を算出してもよい。
ここで、ステアリングの切り増し操舵角δは、例えば操舵角情報に対して時定数の大きいフィルタをかけた操舵角度ｓｔｒ＿ｆｉｌｔ＿ｈｅａｖｙと、時定数の小さいフィルタをかけた操舵角度ｓｔｒ＿ｆｉｌｔ＿ｌｉｇｈｔとに基づき、その差である（δ＝ｓｔｒ＿ｆｉｌｔ＿ｌｉｇｈｔ  −δ＿ｆｉｌｔ＿ｈｅａｖｙ）を使用しても良い。このようにして求めた切り増し操舵角δは、操舵角速度を加味した切り増し操舵角度として算出される。
【００６９】
またアクセル踏み込み量は、例えばアクセル開度情報に対して時定数の大きいフィルタをかけた情報θｔ＿ｆｉｌｔ＿ｈｅａｖｙに対する、小さい時定数のフィルタをかけた情報θｔ＿ｆｉｌｔ＿ｌｉｇｈｔの差分である（θｔ＿ｆｉｌｔ＿ｈｅａｖｙ  −  θｔ＿ｆｉｌｔ＿ｌｉｇｈｔ）を、アクセル踏み増し量として判定をする。このようにして求めたアクセル踏み込み量は、アクセルの踏み増し速度も加味したアクセル踏み込み量として算出される。またアクセル開度のかわりにアクセル踏み込み速度を検出し、アクセル踏み込み速度によって車線変更操作の意図の有無を検出しても良い。
【００７０】
なお、舵角速度やアクセル踏み込み速度情報を用いる場合には、これらの値は一瞬値として検出されるため、検出した値の最大値を所定時間（例えば１秒）保持するようにする。
また同様の判定によって、右側用側方障害物方向への車線変更検出確度量αＲ２も算出する。
【００７１】
上記説明では、操舵角δの情報、舵角速度Ｄδの情報、アクセル踏込み量θｔの情報、方向スイッチ信号それぞれによって求めたマップ値の積によって最終的な車線変更検出確度量αＬ２（αＲ２）を求める場合で説明したが、これらをセレクトローすることで車線変更検出確度量αＬ２（αＲ２）を求めても良い。または、第１〜第４の車線変更検出確度量のうちの１又は２つ、若しくは３つを使用して車線変更検出確度量αＬ２を算出してもよい。すなわち、車線変更検出確度量αＬ２は、運転者が車線変更を意図して操舵を行なった、あるいは運転者が車線変更を意図してアクセル操作等の操作を行なった場合に確度が大きくなる（αＬ２が小さくなる）値であれば良い。
【００７２】
そしてαＬ２（αＲ２）が予め設定した車線変更判定の判定閾値（＜１）以下となった場合に、運転者に車線変更意図が有ることが検出されたと判定する。車線変更意図を検出した場合には、フラグＦ＿ｄｒｉｖｅｒｏｖｅｒｔａｋｅ＿ｉｎｔｅｎｔｉｏｎを「１」に設定する。フラグＦ＿ｄｒｉｖｅｒｏｖｅｒｔａｋｅ＿ｉｎｔｅｎｔｉｏｎは、αＬ２（αＲ２）が上記判定閾値を越えた場合（ヒスを設けることが好ましい。）となった場合に「０」に設定する。すなわち、フラグＦｄｒｉｖｅｒｏｖｅｒｔａｋｅ＿ｉｎｔｅｎｔｉｏｎを再度「０」に設定する条件として、αＬ２（αＲ２）がある閾値以下となったことを検出をする（閾値にはヒスを設けてＦｄｒｉｖｅｒｏｖｅｒｔａｋｅ＿ｉｎｔｅｎｔｉｏｎが解除されにくいようにする。
【００７３】
そして、Ｆ＿ｄｒｉｖｅｒｏｖｅｒｔａｋｅ＿ｉｎｔｅｎｔｉｏｎが「０」の場合には、Ｆ＿Ｏｖｅｒｔａｋｅが「１」であってもＦ＿Ｏｖｅｒｔａｋｅを「０」で上書きする。
なお、このステップＳ６０の処理を省略しても良い。
【００７４】
次に、ステップＳ７０では、制駆動力コントロールユニット８は、下記（３）式をもとに、中立ヨーレートφ’pathを算出する。中立ヨーレートφ’pathは、自車両ＭＭが走行路に沿った走行を維持するために必要なヨーレートである。中立ヨーレートφ’pathは、直進路を走行中はゼロとなる。しかし、カーブ路ではその曲率βによって、中立ヨーレートφ’pathが変化する。したがって、この中立ヨーレートφ’pathを算出する際に、上記走行車線の曲率βを用いる。
φ’path＝β・Ｖ  ………（３）
【００７５】
ここで、この走行経路を維持するための中立ヨーレートφ’pathは、所定期間の中立ヨーレートφ’pathの平均値φ’aveを用いたり、あるいは時定数の大きいフィルタを中立ヨーレートφ’pathかけたりした値を、簡易的に算出しても良い。
【００７６】
ステップＳ８０では、制駆動力コントロールユニット８は、前方注視時間Ｔｔを設定する。前方注視時間Ｔｔは、運転者の将来の障害物ＳＭとの接近状況を予測するための閾値を決定づけるための予め定められた時間である。例えば、前方注視時間Ｔｔを１秒に設定しておく。
【００７７】
次に、目標ヨーレートΨdriver及び補正目標ヨーレートΨdriverhoseiを算出する。
目標ヨーレートΨdriverは、下記式のように、操舵角δと車速Ｖから算出する。この目標ヨーレートΨdriverは、運転者が操舵操作によって発生させようとしているヨーレートである。すなわち運転者が意図して発生させようとしているヨーレートを意味する。
Ψdriver  ＝  Ｋｖ・δ・Ｖ  ………（４）
ここで、Ｋｖは車両諸元等に応じて予め定められたゲインである。
【００７８】
さらに、補正目標ヨーレートΨdriverhoseiを、下記式によって算出する。この補正目標ヨーレートΨdriverhoseiは、目標ヨーレートΨdriverから、走行路を走行するために必要となる中立ヨーレートφ’pathを除いた値である。これによって、目標ヨーレートΨdriverからカーブ路を走行するために行う操舵による影響を除去する。
Ψdriverhosei＝  Ψdriver  −  φ’path  ………（５）
【００７９】
すなわち補正目標ヨーレートΨdriverhoseiは、走行車線に沿って走行する為に必要なヨーレート（中立ヨーレートφ’path）と、運転者が操舵操作によって発生させようとしているヨーレート（目標ヨーレートΨdriver）との偏差であり、運転者の車線変更意図に応じたヨーレートである。
【００８０】
次に、ステップＳ９０では、制駆動力コントロールユニット８は、上記ステップＳ８０で設定した前方注視時間Ｔｔを用い、下記（６）式をもとに、現在の自車両の横位置（走行路幅方向の位置）に対する前方注視時間Ｔｔ後の自車両の横位置である自車両予測位置ΔＸｂを算出する。すなわち、現在の自車両の横位置から前方注視時間Ｔｔ後の自車両の横位置までの横方向距離（走行路幅方向の距離）を算出する。なお、自車両予測位置ΔＸｂは後述するように、障害物ＳＭに対する回避制御を開始するかどうかの判定に用いる。
ΔＸｂ  ＝（Ｋ１・φｆ＋Ｋ２・φｍ＋Ｋ３・φｍ’）  ………（６）
ここで、
φｆ        ：ヨー角，
φｍ        ：目標ヨー角速度，
φｍ’      ：目標ヨー角加速度
である。
【００８１】
また、上記目標ヨー角速度φｍは、下記式となる。
φｍ  ＝  Ψdriverhosei・Ｔｔ  ………（７）
さらに、目標ヨー角加速度φｍ’は、下記式となる。
φｍ’＝  φｍ・Ｔｔ2  ………（８）
【００８２】
ここで、自車両予測位置ΔＸｂを、ヨー角の次元とするために、前方注視距離Ｌを用いると、下式で表すことができる。
ΔＸｂ  ＝  Ｌ・（Ｋ１φｆ＋Ｋ２φｍ・Ｔ＋Ｋ３φｍ’・Ｔｔ2）  ………（９）
ここで、前方注視距離Ｌと前方注視時間Ｔｔとは、下記式の関係にある。
前方注視距離Ｌ＝前方注視時間Ｔｔ・車速Ｖ  ………（１０）
【００８３】
こうした特性をふまえると、設定ゲインＫ１は車速を関数とした値となる。また、設定ゲインＫ２は、車速と前方注視時間を関数とした値となる。設定ゲインＫ３は、車速と、前方注視時間の２乗を関数とした値となる。
【００８４】
なお、自車両ＭＭの予測位置を、下記式のように、操舵角成分と操舵速度成分を個別に求めてセレクトハイをして算出しても良い。
ΔＸｂ  ＝  ｍａｘ（Ｋ２φｍ，Ｋ３∫φｍ’）  ………（１１）
【００８５】
次に、ステップＳ１００では、制駆動力コントロールユニット８は、制御開始のための判定閾値を設定する。この判定閾値は、後側方障害物ＳＭに対する回避制御を開始するかどうかの判定閾値となる。なお、このステップＳ１００における回避制御の開始判定は、前方注視時間Ｔｔ後の自車両ＭＭの横位置と障害物ＳＭの横位置に基づいて、前方注視時間Ｔｔ後に自車両ＭＭが障害物の進路に侵入する可能性が有るか否かを判定するものであり、当該ステップＳ１００にて回避制御を開始すると判定された場合であっても、必ずしも実際に回避制御が開始される訳では無い。実際に回避制御が開始されるか否かは後述するステップＳ１１５にて決定される。
【００８６】
本実施形態では、図７に示すΔＯを上記判定閾値として、この判定閾値ΔＯと自車両予測位置ΔＸｂとに基づいて回避制御の開始を判定する。ΔＯは、レーダー装置２４Ｌ／Ｒにより検出した、自車両ＭＭと障害物ＳＭとの横方向相対距離である。
また、自車両ＭＭと障害物ＳＭとの横方向相対距離ΔＯを正確に求めることができない場合には、予め定めた所定の距離である障害物距離Ｘ２ｏｂｓｔを用いて上記判定閾値を設定する。障害物距離Ｘ２ｏｂｓｔは、仮想的に予め定めた障害物ＳＭが存在する位置（車線幅方向位置）から白線までの横方向距離に相当する。
【００８７】
この障害物距離Ｘ２ｏｂｓｔは、仮想的に定めた障害物ＳＭが存在する車線幅方向位置を白線位置とした場合に０となり、白線の外側とした場合に正値、白線の内側とした場合に負値となる。すなわち、図７における自車両の横変位Ｘ０と障害物距離Ｘ２ｏｂｓｔとを加算した値を自車両ＭＭから障害物ＳＭまでの仮想的な距離として上記判定閾値を設定する。なお、図７における横変位Ｘ０は、上述の撮像部１３で検出した横変位Ｘｆに相当する。
【００８８】
さらに、予め定めた既定の閾値Ｘｔｈｒｅｓｈを上記判定閾値として設定してもよい。この閾値Ｘｔｈｒｅｓｈは、自車両の将来位置が現在の自車両位置からどのくらい離れているかを予め設定した値である。自車両予測位置ΔＸｂが既定の閾値Ｘｔｈｒｅｓｈより大きくなるような場合は、運転者が極端に大きな操舵操作を行っており、前方注視時間Ｔｔ後に自車両ＭＭが障害物の進路に侵入する可能性が有ると判定できる値である。従って、既定の閾値Ｘｔｈｒｅｓｈは確実に自車両の運転者に車線変更の意図が有ることを検出できる程度の大きな値が設定される。
【００８９】
ここでは、走行路に沿った方向にＹ軸をとり、走行路と垂直方向つまり車線幅方向にＸ軸を取ったＸ−Ｙ座標系を使用する。そして、Ｘ軸座標上で障害物ＳＭの横位置を検出する。この横位置に基づき、上記横方向相対距離ΔＯを求める。
なお、障害物ＳＭを検出するかどうかとして設定する障害物検出エリアＫ−ＡＲＥＡは、自車両ＭＭの後側方における、所定の縦・横位置となるように設定する。また、縦位置については、障害物ＳＭが自車両ＭＭに対して接近する相対速度が大きいほど、障害物検出エリアＫ−ＡＲＥＡが大きくなるように設定してもよい。
【００９０】
次に、ステップＳ１１０では、制駆動力コントロールユニット８は、自車両ＭＭが後側方障害物ＳＭに接近しようとしているか否かの判定を実施する。なお、この制御開始の判定は、自車両と障害物ＳＭとの位置関係に基づいて障害物接近防止制御判断フラグＦｏｕｔ＿ｏｂｓｔの設定を行うものであり、実際に制御を開始するか否かは後述するステップＳ１１５における判定結果に基づいて決定される。
ここでは、下記式を満足する場合に制御開始と判定する（開始条件１）。
ΔＸｂ  ≧  ΔＯ  ………（１２）
【００９１】
ここで、距離ΔＯに対する自車両予測位置ΔＸｂが、障害物への接近度合いとなる。すなわちこれは、車線幅方向において障害物の位置を制御開始の判定位置（制御開始位置）として設定し、自車両ＭＭの前方注視時間Ｔｔ後の位置（前方注視点）がこの制御開始位置よりも車線幅方向外側となった場合に制御開始と判定することと同義である。なお、障害物の位置から予め定められた距離だけ車線幅方向内側の位置を制御開始の判定位置（制御開始位置）としても良い。その場合にはΔ０から予め定められた距離を減算してΔ０を補正すれば良い。
【００９２】
また、制御開始のための判定閾値として、障害物距離Ｘ２ｏｂｓｔを用いる場合には、下記式を満足する場合に制御開始と判定する（開始条件２）。
ΔＸ２＝ΔＸｂ−Ｘ０  ≧  Ｘ２ｏｂｓｔ  ………（１３）
【００９３】
すなわち、図７に示すように、白線と前方注視時間Ｔｔ後の自車両ＭＭの将来予測位置との横方向距離ΔＸ２が、障害物距離Ｘ２ｏｂｓｔ以上となったか否かを判定する。つまり、前方注視時間Ｔｔ後の自車両の横位置が、予め定めた白線から障害物距離Ｘ２ｏｂｓｔの位置よりも車線幅方向外側となったか否かを判定する。そして、レーダー装置２４Ｌ／Ｒによって障害物検出エリアＫ−ＡＲＥＡに障害物が存在することが検出され、且つ上記条件を満足した場合に、障害物ＳＭに対する制御開始と判定する。障害物ＳＭに対する制御開始と判定した場合には、障害物接近防止制御判断フラグＦｏｕｔ＿ｏｂｓｔをＯＮに設定する。一方、上記条件を満足しない場合には、障害物接近防止制御判断フラグＦｏｕｔ＿ｏｂｓｔをＯＦＦに設定する。
【００９４】
さらに、制御開始のための判定閾値として、既定の閾値Ｘｔｈｒｅｓｈを用いることも考えられる。この場合には、レーダー装置２４Ｌ／Ｒによって障害物検出エリアＫ−ＡＲＥＡに障害物が存在することが検出され、且つ下記式を満足する場合に制御開始と判定する（開始条件３）。
ΔＸｂ  ≧  Ｘｔｈｒｅｓｈ  ………（１４）
【００９５】
なお、この自車両予測位置ΔＸｂは、実際には、車両の左側及び右側のそれぞれについてΔＸｂＬ  ／ΔＸｂＲとして求めて、個別に判定を行う。
また、制御対象とする障害物ＳＭは、自車両ＭＭの後側方向の車両だけでなく、隣接車線前方の対向車両も含めるようにしてもよい。
【００９６】
ここで、自車両予測位置ΔＸｂが判定閾値未満か判定する場合に、ΔＸ２＜ΔＯ−ＦのようにしてＦ分のヒスをもたせてもよい。すなわち、不感帯を設定してもよい。すなわち、制御介入閾値と制御終了閾値との間に不感帯を設けても良い。
【００９７】
また、Ｆｏｕｔ＿ｏｂｓｔをＯＮに設定可能なのは、Ｆｏｕｔ＿ｏｂｓｔがＯＦＦとなっている場合とする。また、Ｆｏｕｔ＿ｏｂｓｔをＯＮに設定可能とする条件として、Ｆｏｕｔ＿ｏｂｓｔをＯＦＦと設定した後所定時間経過した後とするなど、時間的な条件を加えてもよい。また、Ｆｏｕｔ＿ｏｂｓｔをＯＮと判定してから所定時間Ｔｃｏｎｔｒｏｌが経過したら、Ｆｏｕｔ＿ｏｂｓｔ＝ＯＦＦとし制御を終了してもよい。
【００９８】
さらに、障害物接近防止制御の実施中においては、将来予測位置の判定方向によって、制御の実施方向Ｄｏｕｔ＿ｏｂｓｔを判定する。将来予測位置が左になった場合には、Ｄｏｕｔ＿ｏｂｓｔ＝ＬＥＦＴとし、右になった場合にはＤｏｕｔ＿ｏｂｓｔ＝ＲＩＧＨＴとする。
【００９９】
ここで、アンチスキッド制御（ＡＢＳ）、トラクション制御（ＴＣＳ）又はビークルダイナミックスコントロール装置（ＶＤＣ）が作動している場合には、障害物接近防止制御判断フラグＦｏｕｔ＿ｏｂｓｔをＯＦＦに設定する。これは、運転者の操縦とは関係無く行う制御である自動制動制御の作動中は、障害物接近防止制御を作動させないようにするためである。
【０１００】
次に、ステップＳ１１５では、障害物接近防止制御判断フラグＦｏｕｔ＿ｏｂｓｔと追い抜き状態の判定を示すフラグＦ＿Ｏｖｅｒｔａｋｅとに基づいて障害物接近防止制御を実行するか否かを決定する。障害物接近防止制御判断フラグＦｏｕｔ＿ｏｂｓｔがＯＮであって、Ｆ＿Ｏｖｅｒｔａｋｅ＝０の場合には、障害物方向への接近がありと判定して、障害物接近防止制御判断フラグＦｏｕｔ＿ｏｂｓｔはＯＮに維持する。一方、障害物接近防止制御判断フラグＦｏｕｔ＿ｏｂｓｔがＯＮであって、Ｆ＿Ｏｖｅｒｔａｋｅ＝１の場合には、障害物を追い抜き且つ車線変更の意図があると判定して、障害物接近防止制御判断フラグＦｏｕｔ＿ｏｂｓｔをＯＦＦに再設定する。また、障害物接近防止制御判断フラグＦｏｕｔ＿ｏｂｓｔがＯＦＦである場合には、Ｆ＿Ｏｖｅｒｔａｋｅに関わらず障害物接近防止制御判断フラグＦｏｕｔ＿ｏｂｓｔをＯＦＦに維持する。
【０１０１】
すなわち、追い抜き状態の判定を示すフラグＦ＿Ｏｖｅｒｔａｋｅは上述の通り、自車両が障害物を追い抜いた状態であると判定され、且つ自車両の運転者に車線変更の意図が有ると判定された場合にのみ「１」が設定される。従って、Ｆ＿Ｏｖｅｒｔａｋｅ＝１の場合は自車両の運転者に障害物を認識しながら車線変更を行なう意図が有ると推定される状態であるので、障害物接近防止制御判断フラグＦｏｕｔ＿ｏｂｓｔがＯＮであってもＯＦＦに再設定して、障害物接近防止制御を実行しない（抑制する）ようにする。
【０１０２】
一方、追い抜き状態の判定を示すフラグＦ＿Ｏｖｅｒｔａｋｅが「０」である場合には、自車両が障害物を追い抜いた状態でない、若しくは自車両が障害物を追い抜いた状態で、且つ運転者に車線変更の意図が無い場合である。従って、Ｆ＿Ｏｖｅｒｔａｋｅ＝０で障害物接近防止制御判断フラグＦｏｕｔ＿ｏｂｓｔがＯＮとなった場合には、運転者が障害物を認識せずに障害物に接近している、若しくは運転者が障害物を認識していたとしても運転者に車線変更の意図が無い状態で障害物に接近していると推定される状態であるので、障害物接近防止制御判断フラグＦｏｕｔ＿ｏｂｓｔをＯＮに維持して障害物接近防止制御を実行するようにする。
【０１０３】
なお、Ｆ＿Ｏｖｅｒｔａｋｅ＝１の場合には、上記障害物接近防止制御判断フラグＦｏｕｔ＿ｏｂｓｔをＯＦＦに設定することにより、Ｆ＿Ｏｖｅｒｔａｋｅの状態のみに基づいて障害物接近防止制御を実行しないようにしても良い。
【０１０４】
次に、ステップＳ１２０では、運転者への報知の処理を実施する。すなわち、障害物接近防止制御判断フラグＦｏｕｔ＿ｏｂｓｔがＯＮと判定したら、警報音を発生する。報知は、警報音に限定されず、ランプや座席の振動などによって実施してよい。
【０１０５】
ここで、報知は、上述の前方注視時間に基づく前方注視点（前方注視時間Ｔｔ後の自車両の横位置）が制御開始の位置に到達するより早いタイミングで実施してもよい。すなわち、上記前方注視時間Ｔｔよりも長くなるように所定のゲインＫｂｕｚｚ（＞１）を掛ける。そして、（Ｔｔ×Ｋｂｕｚｚ）による前方注視点を使用して、上記（６）式に基づき算出した前方注視点が判定閾値に到達したと判断された時に警報を発生するようにしても良い。また障害物接近防止制御の作動を開始すると判定したときに警報を発生し、所定の時間経過の後に制御を開始するようにしても良いものとする。あるいは単純に制御出力を実施している状況と連動して警報を発生するようにしても良い。
【０１０６】
次に、ステップＳ１３０にて、制駆動力コントロールユニット８は、目標ヨーモーメントＭｓを設定する。
障害物接近防止制御判断フラグＦｏｕｔ＿ｏｂｓｔがＯＦＦの場合には、目標ヨーモーメントＭｓを０に設定して、ステップＳ１４０に移行する。
一方、障害物接近防止制御判断フラグＦｏｕｔ＿ｏｂｓｔがＯＮの場合には、目標ヨーモーメントＭｓを次式により算出し、ステップＳ１４０に移行する。
Ｍｓ＝Ｋ１ｒｅｃｖ・Ｋ２ｒｅｃｖ・ΔＸｓ  ………（１８）
ΔＸｓ＝（Ｋ１ｍｏｎ・φｆ＋Ｋ２ｍｏｎ・φｍ）
【０１０７】
ここで、Ｋ１ｒｅｃｖは車両諸元から決まる比例ゲイン（ヨー慣性モーメント）である。Ｋ２ｒｅｃｖは車速Ｖに応じて変動するゲインである。ゲインＫ２ｒｅｃｖは、例えば、低速域で大きい値になり、車速Ｖがある値になると、車速Ｖと反比例の関係となり、その後ある車速Ｖに達すると小さい値で一定値となるように設定する。また設定ゲインＫ１ｍｏｎは車速を関数とした値となる。また、設定ゲインＫ２ｍｏｎは、車速と前方注視時間を関数とした値となる。
【０１０８】
上記（１８）式によれば、白線とのヨー角φｆや運転者が切り増しをしたステアリングによって定常的に発生するヨーレートが大きくなるほど、目標ヨーモーメントＭｓは大きくなる。
【０１０９】
あるいは、目標ヨーモーメントＭｓを、下記（１９）式から算出してもよい。この（１９）式は、上記（１８）式に対して、ゲインＫ３（＝１／Ｔｔ2）を掛けることと同義である。このゲインＫ３は、前方注視時間Ｔｔが大きくなるほど減少するゲインとなる。
Ｍｓ＝Ｋ１ｒｅｃｖ・ΔＸｂ／（Ｌ・Ｔｔ2）  ………（１９）
【０１１０】
どの程度の時間Ｔをかけてヨー角を制御するかを示す上記（１９）式を使用すると、次のようになる。すなわち、制御時間Ｔを前方注視時間Ｔｔと一致させて設定させておくことで、制御開始タイミングの前方注視点が短くなった際には、車両を戻すための時間Ｔが短くなる。この結果として制御量が強くなる。すなわち、制御開始タイミングが遅くなるようにしても、制御開始する際の制御量は大きくなる。また、制御開始タイミングが早くなるようにした際には制御量は小さくなる。この結果、運転者に対しては前方注視点の設定によらず、状況に沿った違和感の少ない制御を実施することが可能となる。
【０１１１】
なお、上記Ｆｏｕｔ＿ｏｂｓｔの判定は、操舵情報に基づいて将来の進路変更を予測するものである。
ここで、本制御とは別に、自車両が車線を逸脱する可能性が有る場合に車線逸脱を防止するように自車両の車両挙動を制御する車線逸脱防止制御を備える場合にあっては、本制御が作動開始するときと車線逸脱防止制御が作動開始する（Ｆｏｕｔ＿ＬＤＰ＝１）ときとで、いずれかが先に制御を開始するかによって、先に制御開始した制御を優先し、その制御が終了するまで他方の制御を実施しないようにしてもよい。
【０１１２】
ステップＳ１４０では、制駆動力コントロールユニット８は、障害物回避のための目標ヨーモーメントＭｓを発生させるための指令を算出し、これを出力した後、最初の処理に復帰する。
ここで、本実施形態では、障害物回避のための目標ヨーモーメントＭｓを発生するための手段として、制駆動力を用いてヨーモーメントを発生する場合の例を、以下に説明する。
【０１１３】
なお、ヨーモーメントを発生させる手段としてステアリング反力制御装置を用いる場合には、制駆動力コントロールユニット８は目標ヨーモーメントＭｓを発生させるための指令としてステアリング反力ＦｒｓｔｒをＦｒｓｔｒ＝Ｋａ・Ｍｓとして算出してステアリング反力制御装置に出力して反力を発生すればよい。なお、上記Ｋａはヨーモーメントをステアリング反力に変換するための、予め実験等によって求められた係数である。
【０１１４】
またヨーモーメントを発生させる手段としてステアリング角制御装置を用いる場合には、制駆動力コントロールユニット８は目標ヨーモーメントＭｓを発生させるための指令としてステアリング角ＳＴＲθをＳＴＲθ＝Ｋｂ・Ｍｓ’として算出してステアリング角制御装置に出力し、ステアリング角を制御すればよい。なお、上記Ｋｂはヨーモーメントをステアリング角に変換するための、予め実験等によって求められた係数である。
【０１１５】
またヨーモーメントを発生させる手段としては、たとえばパワーステアリング等の操舵力制御装置を用いる場合には、制駆動力コントロールユニット８は目標ヨーモーメントＭｓを発生させるための指令として、その操舵力（操舵トルク）をＳＴＲｔｒｇ＝Ｋｃ・Ｍｓとして算出して操舵力制御装置に出力し、操舵力を制御してもよい。なお、上記Ｋｃはヨーモーメントをステアリング角に変換するための、予め実験等によって求められた係数である。
【０１１６】
本実施形態においてはヨーモーメントを発生させる手段として、車両の左右車輪の制動力差を発生させる場合には、制駆動力コントロールユニット８は下記のように目標ヨーモーメントＭｓを発生させるための指令を算出する。
【０１１７】
目標ヨーモーメントＭｓが０の場合、すなわちヨーモーメント制御を実施しない場合には、下記（２０）式及び（２１）式に示すように、制動液圧（ブレーキ液の液圧）Ｐｍｆ、Ｐｍｒを各車輪の目標制動液圧Ｐｓｉ（ｉ＝ｆｌ、ｆｒ、ｒｌ、ｒｒ）として、制動流体圧制御部７に出力する。これにより、制動流体圧制御部７は流体圧回路を制御して、各車輪の制動液圧を目標制動液圧Ｐｓｉ（ｉ＝ｆｌ、ｆｒ、ｒｌ、ｒｒ）に制御する。
Ｐｓｆｌ＝Ｐｓｆｒ＝Ｐｍｆ  ………（２０）
Ｐｓｒｌ＝Ｐｓｒｒ＝Ｐｍｒ  ………（２１）
【０１１８】
ここで、Ｐｍｆは前輪用の制動液圧である。また、Ｐｍｒは後輪用の制動液圧であり、前後配分を考慮して前輪用の制動液圧Ｐｍｆに基づいて算出した値になる。例えば、運転者がブレーキ操作をしていれば、制動液圧Ｐｍｆ、Ｐｍｒはそのブレーキ操作の操作量（マスタシリンダ液圧Ｐｍ）に応じた値になる。
【０１１９】
一方、目標ヨーモーメントＭｓの絶対値が０より大きい場合、すなわち障害物接近防止制御を実施する場合には、次のような処理を行う。
すなわち、目標ヨーモーメントＭｓに基づいて、前輪目標制動液圧差ΔＰｓｆ及び後輪目標制動液圧差ΔＰｓｒを算出する。具体的には、下記（２２）式及び（２３）式により目標制動液圧差ΔＰｓｆ、ΔＰｓｒを算出する。
ΔＰｓｆ＝２・Ｋｂｆ・（Ｍｓ・ＦＲｒａｔｉｏ）／Ｔｒ  ………（２２）
ΔＰｓｒ＝２・Ｋｂｒ・（Ｍｓ×（１−ＦＲｒａｔｉｏ））／Ｔｒ  ………（２３）
【０１２０】
ここで、ＦＲｒａｔｉｏは設定用しきい値、Ｔｒはトレッド、Ｋｂｆ及びＫｂｒは制動力を制動液圧に換算する場合の前輪及び後輪についての換算係数である。
なお、上記トレッドＴｒは、ここでは便宜上、前後同じ値として扱う。また、Ｋｂｆ、Ｋｂｒは、ブレーキ諸元により予め定まる係数である。
【０１２１】
このように、目標ヨーモーメントＭｓの大きさに応じて車輪で発生する制動力を配分する。つまり、各目標制動液圧差ΔＰｓｆ、ΔＰｓｒに所定値を与え、前後それぞれの左右輪で制動力差を発生する。そして、算出した目標制動液圧差ΔＰｓｆ、ΔＰｓｒを用いて、最終的な各車輪の目標制動液圧Ｐｓｉ（ｉ＝ｆｌ、ｆｒ、ｒｌ、ｒｒ）を算出する。
【０１２２】
具体的には、制御の実施方向Ｄｏｕｔ＿ｏｂｓｔがＬＥＦＴの場合、すなわち左側の障害物ＳＭに対する障害物接近防止制御を実施する場合には、下記（２４）式により各車輪の目標制動液圧Ｐｓｉ（ｉ＝ｆｌ、ｆｒ、ｒｌ、ｒｒ）を算出する。
Ｐｓｆｌ＝Ｐｍｆ，
Ｐｓｆｒ＝Ｐｍｆ＋ΔＰｓｆ，
Ｐｓｒｌ＝Ｐｍｒ，
Ｐｓｒｒ＝Ｐｍｒ＋ΔＰｓｒ  ………（２４）
【０１２３】
また、制御の実施方向Ｄｏｕｔ＿ｏｂｓｔがＲＩＧＨＴの場合、すなわち右側の障害物ＳＭに対する障害物接近防止制御を実施する場合、下記（２５）式により各車輪の目標制動液圧Ｐｓｉ（ｉ＝ｆｌ、ｆｒ、ｒｌ、ｒｒ）を算出する。
Ｐｓｆｌ＝Ｐｍｆ＋ΔＰｓｆ，
Ｐｓｆｒ＝Ｐｍｆ，
Ｐｓｒｌ＝Ｐｍｒ＋ΔＰｓｒ，
Ｐｓｒｒ＝Ｐｍｒ  ………（２５）
【０１２４】
上記（２４）式及び（２５）式によれば、障害物回避側（障害物が存在する方向とは反対側）の車輪の制動力が、障害物側（障害物が存在する側）の車輪の制動力よりも大きくなるように、左右輪の制駆動力差が発生することになる。
【０１２５】
また、ここでは、（２４）式及び（２５）式が示すように、運転者によるブレーキ操作、すなわち制動液圧Ｐｍｆ、Ｐｍｒを考慮して各車輪の目標制動液圧Ｐｓｉ（ｉ＝ｆｌ、ｆｒ、ｒｌ、ｒｒ）を算出している。
そして、制駆動力コントロールユニット８は、このようにして算出した各車輪の目標制動液圧Ｐｓｉ（ｉ＝ｆｌ、ｆｒ、ｒｌ、ｒｒ）を制動流体圧指令値として、制動流体圧制御部７に出力する。これにより、制動流体圧制御部７は流体圧回路を制御して、各車輪の制動液圧を目標制動液圧Ｐｓｉ（ｉ＝ｆｌ、ｆｒ、ｒｌ、ｒｒ）に制御する。
【０１２６】
（動作）
次に、第１の実施形態の動作の例について説明する。
今、自車両ＭＭが左側後側方の障害物ＳＭと並走しているものとする。この場合には、自車両ＭＭが障害物ＳＭを追い抜いている状態ではないため、左側用追い抜き確度量αＬ１＝１となる（ステップＳ５０）。そのため、追い抜き状態の判定を示すフラグＦ＿Ｏｖｅｒｔａｋｅは「０」となっている（ステップＳ５５）。
【０１２７】
そして、自車両の走行状態であるヨー角φｆ、ヨー角速度φｍ等に基づいて、前方注視時間Ｔｔ後の自車両の将来位置として自車両予測位置ΔＸｂを算出する（ステップＳ９０）。そして、運転者による操舵操作等によって自車両ＭＭが障害物ＳＭ側へ向かうことにより、警報用の前方注視時間（Ｔｔ・Ｋｂｕｚｚ）を用いて算出した自車両予測位置ΔＸｂがΔＯ以上となると、運転者に対して警報を発する（ステップＳ１２０）。また運転者が自車両の軌道修正等を行わず、制御用の前方注視時間Ｔｔを用いて算出した自車両予測位置ΔＸｂがΔＯ以上となると、障害物回避のための支援制御の開始を判定する（ステップＳ１１０）。
【０１２８】
支援制御開始と判定すると、自車両予測位置ΔＸｂに基づいて、制御量として目標ヨーモーメントＭｓを算出する（ステップＳ１３０）。そして、算出した目標ヨーモーメントＭｓが発生するように制駆動力を制御する（ステップＳ１４０）。これにより、障害物ＳＭへの接近を防止する方向に自車両ＭＭの車両挙動を制御する（障害物接近防止を行なう）。
【０１２９】
したがって、運転者が障害物を認識せずに当該障害物へ接近する方向へ操舵操作を行った場合には、適切に障害物への接近を防止することができる。
【０１３０】
一方、図８に示すように、当該障害物ＳＭを追い抜いてから障害物ＳＭへ接近する方向へ操舵操作を行ったものとする。この場合には、自車両ＭＭが障害物ＳＭを追い抜いている状態であると判定するため、左側用追い抜き確度量αＬ１＜１となる（ステップＳ５０）。また、左側用追い抜き確度量αＬ１に基づき追い抜き状態の判定を示すフラグＦ＿Ｏｖｅｒｔａｋｅは「１」となる（ステップＳ５５）。
【０１３１】
左側障害物ＳＭを追い抜いた後に、運転者が障害物ＳＭ側への操舵操作（図８のα）を行うと、制御用の前方注視時間Ｔｔを用いて算出した自車両予測位置ΔＸｂがΔＯ以上となって障害物接近防止制御開始と判定するが、追い抜き状態であるため、障害物ＳＭへの接近を防止する障害物接近防止制御の開始抑制として、本実施形態では障害物接近防止制御を行わない。
【０１３２】
このように、自車両が障害物を追い抜いている状態であることを検出した場合には、障害物接近防止制御を実施しない。すなわち、自車両が障害物を追い抜いている状態であることを検出すると、追い抜き状態を検出していない場合と比較して障害物接近防止制御の開始を抑制する。障害物を追い抜いている場合には、運転者が障害物を認識している状態であると考えられる。そのため、このような場合には上記制御の開始を抑制することで、運転者が障害物を認識しながら障害物の存在する方向へ車線変更を行なった場合に、障害物接近防止制御が十分に作動して自車両が障害物から遠ざかる方向へ制御されることに起因する運転者の違和感を低減することができる。
【０１３３】
また、本実施形態では、車線変更意図の検出として、左側用の車線変更検出確度量αＬ２を算出する（ステップＳ６０）。そして、そして、車線変更検出確度量αＬ２に基づき車線意図があると検出している場合にだけ、追い抜き状態の判定を示すフラグＦ＿Ｏｖｅｒｔａｋｅは「１」となるように処理を行う。
【０１３４】
この結果、運転者が意図的に車線変更を行うことを検出した場合にのみ、上記制御の開始を抑制する。このため、より的確に運転者に与える違和感を緩和出来る。
【０１３５】
ここで、レーダー装置２４Ｌ／Ｒが側方障害物検出手段５０を構成する。ステップＳ１００、Ｓ１１０，Ｓ１３０、及びＳ１４０が障害物接近防止制御手段８Ｂを構成している。ステップＳ５０及びステップＳ５５が追い抜き検出手段８Ｃを構成する。ステップＳ６０は変更意図検出手段８Ｄを構成する。ステップＳ１１５が制御抑制手段８Ｂａを構成する。
【０１３６】
（本実施形態の効果）
（１）側方障害物検出手段５０は、少なくとも自車両の後側方を障害物検出エリアＫ−ＡＲＥＡとし、その障害物検出エリアＫ−ＡＲＥＡに存在する障害物を検出する。障害物接近防止制御手段は、上記側方障害物検出手段５０で検出した上記障害物に自車両が接近することを防止する障害物接近防止制御を行う。追い抜き検出手段８Ｃは、自車両を基準とした上記障害物の情報に基づき、自車両が上記障害物を追い抜いている状態若しくは追い抜いた状態になると予測される状態の少なくとも一方の状態である追い抜き状態を検出する。制御抑制手段８Ｂａは、上記追い抜き検出手段８Ｃの検出に基づき追い抜き状態と判定すると、当該追い抜き状態と判定しない場合に比較して、上記障害物接近防止制御の開始を抑制する。
【０１３７】
自車両が障害物を追い抜く若しくは追い抜いた状態になると予測される状態と判断できるような状況で、自車両が障害物に接近して障害物接近防止制御の開始条件を満足するような場合には、自車両の運転者が障害物の存在を認識しながら障害物側へ車線変更する意図が有ることが想定される。このような場合に、障害物接近防止制御の開始を抑制する結果、運転者の違和感を抑制することが可能となる。すなわち、運転者に与える違和感を低減しつつ、自車両後側方に位置する障害物に対する運転支援制御を適切に行うことができる。
【０１３８】
（２）変更意図検出手段８Ｄは、運転者の車線変更の意図の有無を検出する。上記制御抑制手段８Ｂａは、上記追い抜き検出手段８Ｃの検出に基づき追い抜き状態と判定し且つ上記変更意図検出手段８Ｄで車線変更意図を検出した場合に、上記障害物接近防止制御の開始を抑制を行う。
【０１３９】
自車両が障害物を追い抜いた場合、制御開始を抑制することで、運転者の違和感を抑制することができる。このとき、運転者が意図的に車線変更を行うことを検出した場合にのみ障害物接近防止制御の開始を抑制する。この結果、運転者が障害物の存在を認識しながら意図的に車線変更を行う場合には制御の開始を抑制するため、違和感をより確実に防止することができる。
【０１４０】
（３）上記自車両を基準とした障害物の情報は、少なくとも自車両に対する障害物の相対距離、相対速度及び自車両に対する障害物の検出角度のいずれか一つ以上である。
これにより、例えば車車間通信やインフラストラクチャ等の特別な装置を用いること無く、レーダー装置２４Ｌ／Ｒ等の一般的に車載可能な装置によって実現することができる。
【０１４１】
（４）上記障害物接近防止制御手段のよる障害物接近防止制御は、障害物から離れる方向へのヨーモーメントを自車両に発生、若しくは障害物への自車両の接近の報知の少なくとも一方の処理を行う。
これによって、障害物に自車両が接近することを防止する制御が可能となる。
【０１４２】
（変形例）
（１）上記実施形態においては、ステップＳ５０で、自車両の追い抜き状態を検出した後、ステップＳ５５で、予め設定した時間（一定時間）が経過した場合に、追い抜き状態と判定し障害物接近防止制御の開始を抑制する場合について説明した。
これに代えて、自車両の追い抜き状態を検出した後、自車両が予め設定した距離だけ走行したら（その設定した距離走行するのに必要な時間が経過したら）、追い抜き状態と判定し、障害物接近防止制御の開始を抑制するようにしてもよい。この場合には、車速に基づき上記予め設定した時間経過後に追い抜き状態と判定することとなる。
【０１４３】
更には、自車両の追い抜き状態を検出した後、自車両と障害物との相対距離が予め設定した設定距離となったら（相対距離が設定距離となるのに必要な時間が経過したら）、追い抜き状態と判定し、障害物接近防止制御の開始を抑制するようにしてもよい。
【０１４４】
（２）上記実施形態では、追い抜き状態と判定し且つ車線変更意図があることを検出（車線変更意図の確度が高いことを検出）した場合に、制御開始の抑制を行う場合で説明した。追い抜き状態との判定だけで、制御開始の抑制を行うようにしても良い。
（３）また、上記実施形態では、追い抜き状態と判定し且つ車線変更意図があることを検出すると、制御開始の抑制を行っているが、障害物接近制御が作動しているときに、追い抜き状態と判定した場合には、制御開始の抑制の代わりに、現在実施している制御の制御量を抑制（すなわち、ヨーモーメントＭｓを低減）するようにしても良い。
【０１４５】
（４）また、上記実施形態では、変更意図検出手段８Ｄは、運転者の操作に基づき車線変更意図の有無を検出する場合で説明した。これに代えて、車両の挙動に基づき車線変更意図の有無を検出しても良い。
すなわち、上記変更意図検出手段８Ｄは、自車両の挙動に基づき車線変更の意図の有無を検出する。
【０１４６】
車線変更の意図を自車両の挙動によって検出する。このため、無意識的に車線を逸脱した場合には接近防止制御を実施しつつ、意識的に車線変更した際には違和感のある接近防止制御の開始を抑制することができる。
【０１４７】
例えば、上記変更意図検出手段８Ｄは、運転者の操舵によって自車両に発生しているヨーモーメント又は加速度の変化に基づき車線変更の意図の有無を検出しても良い。ヨーモーメント又は加速度の変化は、例えばヨーモーメントの微分値や加速度の微分値で検出できる。
これによって、車線変更の意図を自車両の挙動によって検出可能となる。
【０１４８】
（５）または、上記変更意図検出手段８Ｄは、白線（車線区分線）に対する自車両の相対的な動きに基づき車線変更の意図の有無を検出しても良い。白線に対する自車両の相対的な動きは、例えば横速度の大きさ、ヨー角の大きさによって検出する。
車線変更の意図を白線に対する相対的な動きによって検出をする。この結果、実質的に車線として運転者がみなす白線を基準として車線変更および追い抜きした場合に、違和感のある接近防止制御の開始を抑制することができる
【０１４９】
（６）または、上記変更意図検出手段８Ｄは、障害物に対する自車両の相対的な横方向への速度に基づき車線変更の意図の有無を検出しても良い。
車線変更の意図を障害物との相対的な動きによって検出をする。この結果、障害物が隣接車線から接近してきた障害物に対しても接近防止制御（警報）の対象としつつ、その障害物に対する車線変更を行った場合においても車線変更を行ったとみなして障害物接近防止制御を行いつつ、該障害物を追い抜きした際に違和感のある制御の開始を抑制することができる。
【０１５０】
（７）上記追い抜き検出手段８Ｃで追い抜き状態と判定する際の相対距離の判定閾値は、上記相対速度が大きい場合、相対速度が小さい場合に比べて小さい値としても良い。
相対速度が大きければ大きいほど相対距離が短い位置で追い抜いたことを検出出来る。この結果、合流時などで相対速度をつけて車線変更する場合などにおいて、運転者の感覚にあった制御の抑制が可能となり、違和感のある制御の開始を抑制することができる。
【０１５１】
（８）上記追い抜き検出手段８Ｃで追い抜き状態と判定する際の相対距離の判定閾値は、自車両側方位置を基準として上記障害物の検出角度が自車両後方位置側の角度であるほど、小さい値としても良い。
検出角度が自車両側面方向よりも後方となっている場合、例えば障害物が運転者のルームミラーに映る位置となるような位置関係の場合に、相対距離が小さくても追い抜いたと判定を出来る。この結果、運転者の感覚にあわない違和感のある制御の開始を抑制することができる。
【０１５２】
（９）上記追い抜き検出手段８Ｃで追い抜き状態と判定する際の相対速度の判定閾値は、自車両側方位置を基準として上記障害物の検出角度が自車両後方位置側の角度であるほど、小さい値としても良い。
検出角度が自車両側面方向よりも後方となっている場合、例えば障害物が運転者のルームミラーに映る位置となるような位置関係の場合に、相対速度が小さくても追い抜いたと判定を出来る。この結果、運転者の感覚にあわない違和感のある制御の開始を抑制することができる。
【０１５３】
（第２実施形態）
次に、第２実施形態について図面を参照して説明する。なお、上記実施形態と同様な装置などについては同一の符号を付して説明する。
【０１５４】
上記第１実施形態では、制御を実施しないことにより、制御の開始を抑制する場合で説明した。
これに対し、本第２実施形態は、制御の開始条件を変更することで、制御に入り難くすることによって、制御の開始を抑制する場合の実施形態である。
【０１５５】
ここで、上述の通り車線変更の意図の確度（確からしさ）が高い（確か）であればあるほど、車線変更検出確度量αＬ２（αＲ２）は小さな値となる。なお、車線変更の意図の確度を、運転者が車線変更しようとする意図として求めているが、追い抜きを示す追い越し検出確度量αＬ１（αＲ１）を、車線変更検出確度量αＬ２（αＲ２）に乗算した値（例えばαＬ２←αＬ２×αＬ１）を、総合的な車線変更の意図の確度して使用しても良い。
【０１５６】
図９に、第２実施形態における制駆動力コントロールユニット８で実行する回避制御処理手順を示すフローチャートを示す。
第２実施形態では、図９に示すように、図４におけるステップＳ１１５を省略する代わりにステップＳ８５を追加した点が異なる。その他の構成及び処理は、上記第１実施形態と同様である。
【０１５７】
ステップＳ８０では、第１実施形態と同様に、運転者の将来の障害物との接近状況を予測するための閾値を決定づけるための前方注視時間Ｔｔを設定する。
【０１５８】
次に、ステップＳ８５では、車線変更意図のフラグＦ＿Ｏｖｅｒｔａｋｅが「１」の場合には、下記式によって、前方注視時間Ｔｔの再設定を行う。この再設定によって、前方注視時間Ｔｔが短い値に再設定する結果、前方注視点が短くなる。一方、フラグＦ＿Ｏｖｅｒｔａｋｅが「０」の場合には、ステップＳ９０に移行する。
Ｔｔ  ＝  Ｔｔ×αＬ２（左側障害物に対し）
Ｔｔ  ＝  Ｔｔ×αＲ２（右側障害物に対し）
その他の構成及び処理は上記第１実施形態と同様である。
【０１５９】
（動作）
左側側方障害物ＳＭを追い抜いた後に、運転者が障害物ＳＭ側への操舵操作等（図８のα）を行うと、図７に示すように、前方注視時間Ｔｔを用いて算出した自車両予測位置ΔＸｂがΔＯ以上となって制御開始と判定する。このとき、本実施形態では、前方注視時間Ｔｔが短くなるように再設定しているため、制御開始が抑制される。すなわち。非追い抜き状態と判定している場合と比較して、障害物により接近した場合に制御が開始されるため、制御が開始し難くなる。
【０１６０】
このように、自車両が側方障害物を追い抜いている状態と判定すると、追い抜き状態と判定していない場合と比較して障害物接近防止制御の開始を抑制する。側方障害物を追い抜いている場合には、運転者が側方障害物を認識している状態であると考えられる。そのため、このような場合には上記制御の開始を抑制することで、障害物接近防止制御が十分に作動して自車両が側方障害物から遠ざかる方向へ制御されることに起因する運転者の違和感を低減することができる。
【０１６１】
また、車線変更の意図の確度が高いほど、上記制御開始の抑制量を大きくするので、より運転者に違和感を与えることなく支援制御を行うことができる。
ここで、ステップＳ６０，Ｓ８５は変更意図確度判定手段を構成する。前方注視時間Ｔｔは予定時間を構成する。
【０１６２】
（本実施形態の効果）
（１）変更意図確度判定手段は、上記変更意図検出手段８Ｄが検出する車線変更意図の確度を判定する。上記制御抑制手段８Ｂａは、変更意図確度判定手段が判定する上記車線変更意図の確度が高い場合、当該確度が低い場合に比べて、上記制御抑制手段８Ｂａによる開始の抑制を強くする。
運転者の車線変更意図が強ければ強いほど制御開始の抑制を強くする。これにより、例えば、前後の車両との間隔が短い混雑した状況における車線変更において、意図的に車線変更を実施する場合において違和感のある制御開始を抑制することができる。
【０１６３】
（２）上記車線変更意図の確度は、方向指示器の状態に基づき判定する。
意図の検出確度は、方向指示器の状態、つまり方向スイッチ信号で検出する。このため、運転者がターンシグナルを明示的に示すことにより追い抜いて車線変更する意思が強い（意図の確度が高い）ことを早期に検出できる。この結果、違和感のある制御の開始を抑制することができる。
【０１６４】
（３）上記車線変更意図の確度は、操舵角若しくは操舵速度に基づき判定する。
意図の検出確度は操舵情報で検出する。このため、運転者が大きな動作で追い抜いて車線変更する際に、違和感のある制御の開始を抑制することができる。
【０１６５】
（４）上記車線変更意図の確度は、運転者のアクセル操作等から分かる、車両の加速状態に基づき検出する。
運転者が合流などで加速しながら追い抜き車線変更を行うといった状況において、違和感のある制御の開始を抑制することができる。
【０１６６】
（５）上記障害物接近防止制御手段８Ｂは、予め設定した予測時間後に予測される自車両の将来位置に基づき、障害物接近防止制御の開始を判定する。上記制御抑制手段８Ｂａは、上記予測時間を短くすることで、障害物接近防止制御の開始を抑制する。
障害物との接近を予測する予測時間を短く設定をすることで制御開始を抑制する結果、不要な制御の開始を抑制しつつ、障害物と近い距離に接近した際には制御を作動させることができる。
【０１６７】
（第３実施形態）
次に、第３実施形態について図面を参照して説明する。なお、上記実施形態と同様な装置などについては同一の符号を付して説明する。
本第３実施形態も、制御の開始条件を変更することで、制御に入り難くすることにより、制御の開始を抑制する場合の実施形態である。
【０１６８】
上述の第２実施形態では、ステップＳ８５において、追い抜き状態と判定中は、前方注視時間Ｔｔを短く再設定した。これに対し、第３実施形態では、制御開始の判定閾値を障害物側に再設定することで制御開始を抑制する。
【０１６９】
すなわち、制御開始の判定閾値を、運転者の車線変更意図の確度（確からしさ）に応じて制御開始閾値が遅くなるように再設定する。なおこの再設定は運転者の車線変更意図のフラグＦ＿Ｏｖｅｒｔａｋｅ＝１の場合にのみ再設定を実施する。
図１０に、第３実施形態における制駆動力コントロールユニット８で実行する回避制御処理手順を示すフローチャートを示す。
【０１７０】
この図１０に示す処理では、図４のステップＳ１１５を削除する代わりに、ステップＳ１０５を追加した点が異なる。
すなわち、ステップＳ１０５では、車線変更意図のフラグＦ＿Ｏｖｅｒｔａｋｅが「１」の場合には、制御開始のための判定閾値を障害物側に再設定を行う。この再設定によって、前方注視時間Ｔｔが短い値に再設定する結果、前方注視点が短くなる。一方、フラグＦ＿Ｏｖｅｒｔａｋｅが「０」の場合には、ステップＳ１１０に移行する。
【０１７１】
制御開始のための判定閾値の再設定について説明する。
ここで、上記第１実施形態のステップＳ１１０で説明したように、開始条件１の場合には、制御開始のための判定閾値はΔＯである。開始条件２の場合には、制御開始のための判定閾値はＸ２ｏｂｓｔである。
【０１７２】
これに対し、フラグＦ＿Ｏｖｅｒｔａｋｅが「１」の場合には、次の処理を行って判定閾値の再設定を行う。
まずΔＸＯｈｏｓｅｉ（＞１）を算出する。
このΔＸＯｈｏｓｅｉは、車線変更検出確度量αＬ２（αＲ２）が小さいほど大きい値となるように設定しておく。なお、ΔＸＯｈｏｓｅｉは一定値であっても良い。
【０１７３】
そして、下記式に基づき、制御開始のための判定閾値を行う。
（開始条件１の場合）
ΔＯ  ←  ΔＯ  ＋ΔＸＯｈｏｓｅｉ
（開始条件２の場合）
Ｘ２ｏｂｓｔ  ←  Ｘ２ｏｂｓｔ  ＋ΔＸＯｈｏｓｅｉ
その他の構成は、上記第１及び第２実施形態と同様である。
【０１７４】
（動作）
左側側方障害物ＳＭを追い抜いた後に、運転者が障害物ＳＭ側への操舵操作等（図８のα）を行うと、図７に示すように、制御用の前方注視時間Ｔｔを用いて算出した自車両予測位置ΔＸｂがΔＯ以上となって制御開始と判定する。このとき、本実施形態では、ΔＯを大きく、すなわち車線幅方向で障害物側に再設定しているため、制御開始が抑制される。すなわち。非追い抜き状態と判定している場合と比較して、制御の開始が障害物により接近した場合に制御が開始されるため、制御が開始し難くなる。
【０１７５】
このように、自車両が側方障害物を追い抜いている状態と判定すると、追い抜き状態と判定していない場合と比較して障害物接近防止制御の開始を抑制する。側方障害物を追い抜いている場合には、運転者が側方障害物を認識している状態であると考えられる。そのため、このような場合には上記制御の開始を抑制することで、障害物接近防止制御が十分に作動して自車両が側方障害物から遠ざかる方向へ制御されることに起因する運転者の違和感を低減することができる。
【０１７６】
また、車線変更の意図の確度が高いほど、上記制御開始の抑制量を大きくするので、より運転者に違和感を与えることなく支援制御を行うことができる。
ここで、ステップＳ１０５は変更意図確度判定手段を構成する。
【０１７７】
（本実施形態の効果）
（１）障害物接近防止制御手段８Ｂは、障害物若しくは白線に対し設定した制御開始位置に基づき障害物接近防止制御の開始を判定する。制御抑制手段８Ｂａは、上記制御開始位置を障害物側に設定変更することで、障害物接近防止制御の開始を抑制する。
白線を基準とした制御開始閾値を奥（障害物側）に設定をすることで制御開始を抑制する。これによって、不要な制御の開始を抑制しつつ、障害物と近い距離に接近した際には制御の作動を行うことができる。
【０１７８】
（第４実施形態）
次に、第４実施形態について図面を参照して説明する。なお、上記実施形態と同様な装置などについては同一の符号を付して説明する。
本第４実施形態も、制御の開始条件を変更することで、制御に入り難くすることにより、制御の開始を抑制する場合の実施形態である。
【０１７９】
上述の第２実施形態では、ステップＳ８５において、追い抜き状態と判定中は、前方注視時間Ｔｔを短く再設定した。これに対し、第４実施形態では、障害物検出エリアＫ−ＡＲＥＡを小さく一時的に変更することで制御開始を抑制する。
【０１８０】
第４実施形態における制駆動力コントロールユニット８で実行する回避制御処理手順を示すフローチャートは、第３実施形態と同じ、図１０で表される。
ただし、ステップＳ１０５の処理が異なる。その処理について説明する。
ステップＳ１０５では、車線変更意図のフラグＦ＿Ｏｖｅｒｔａｋｅ＝０の場合には、ステップＳ１１０に移行する。車線変更意図のフラグＦ＿Ｏｖｅｒｔａｋｅ＝１の場合には、次の処理を実施する。
【０１８１】
すなわち、障害物ＳＭを検出するかどうかの設定する障害物検出エリアＫ−ＡＲＥＡを、下記式によって変更する。図１１に変更後の状態の例を示す。
縦範囲＝縦範囲×αＬ２（αＲ２）
横範囲＝横範囲×αＬ２（αＬ２）
障害物検出エリアＫ−ＡＲＥＡの領域における、自車両側の境界位置（縦位置及び横位置）を固定して検出範囲の横幅を変更する。
【０１８２】
次に、レーダー装置２４Ｌ／Ｒの検出信号に基づき、変更した障害物検出エリアＫ−ＡＲＥＡに障害物が存在するか否かを判定する。存在すると判定した場合にはステップＳ１１０に移行する。一方、存在しないと判定した場合には、そのまま処理を終了して復帰する。
その他の構成は、上記第１及び第２実施形態と同様である。
【０１８３】
（動作）
左側側方障害物ＳＭを追い抜いた後に、運転者が障害物ＳＭ側への操舵操作等（図８のα）を行うと、図７に示すように、制御用の前方注視時間Ｔｔを用いて算出した自車両予測位置ΔＸｂがΔＯ以上となって制御開始と判定する。このとき、本実施形態では、小さい補正した障害物検出エリアＫ−ＡＲＥＡに障害物が存在するかを判定し、存在しない場合には制御を開始しない。すなわち。非追い抜き状態と判定している場合と比較して、制御の開始が障害物により接近した場合に制御が開始する。
【０１８４】
このように、自車両が側方障害物を追い抜いている状態と判定すると、追い抜き状態と判定していない場合と比較して障害物接近防止制御の開始を抑制する。側方障害物を追い抜いている場合には、運転者が側方障害物を認識している状態であると考えられる。そのため、このような場合には上記制御の開始を抑制することで、障害物接近防止制御が十分に作動して自車両が側方障害物から遠ざかる方向へ制御されることに起因する運転者の違和感を低減することができる。
【０１８５】
また、車線変更の意図の確度が高いほど、上記制御開始の抑制量を大きくするので、より運転者に違和感を与えることなく支援制御を行うことができる。
ここで、ステップＳ１０５は変更意図確度判定手段を構成する。
【０１８６】
（本実施形態の効果）
（１）制御抑制手段８Ｂａは、上記障害物検出エリアＫ−ＡＲＥＡを小さくすることで開始を抑制する。
障害物を制御対象として検出するための障害物検出エリアＫ−ＡＲＥＡを小さくすることで抑制する。これによって、不要な制御の開始を抑制しつつ、障害物と近い距離に接近した際には制御を作動させることが出来る。
【０１８７】
（変形例）
（１）ステップＳ１０５を追加する代わりに、フラグＦ＿Ｏｖｅｒｔａｋｅ＝１の場合には、レーダー装置２４Ｌ／Ｒで設定する障害物検出エリアＫ−ＡＲＥＡを、下記式によって変更しても良い。
縦範囲＝縦範囲×αＬ２（αＲ２）
横範囲＝横範囲×αＬ２（αＬ２）
この場合には、ステップＳ５０で対象とする障害物は、障害物検出エリアＫ−ＡＲＥＡに存在しない障害物も対象とする。
【０１８８】
（第５実施形態）
次に、第５実施形態について図面を参照して説明する。なお、上記実施形態と同様な装置などについては同一の符号を付して説明する。上述の第１から第４実施形態では障害物接近防止制御の開始判定を抑制することにより制御を抑制しているが、この第５実施形態においては障害物接近防止制御における制御量を抑制することにより、制御を抑制している。
【０１８９】
（構成）
第５実施形態の撮像部１３は、自車両走行レーンの前方かつ側方の合流状況も検出する。具体的には、自車両前方の撮像画像にもとに、自車両から合流地点までの距離Ｄｉｓｔ＿ｌａｎｅを検出する。
【０１９０】
すなわち、本実施形態における撮像部１３は上述の第１実施形態と同様に、ヨー角φｆ、横変位Ｘｆ、及び走行車線の曲率βを算出すると共に、自車両前方の画像に基づいて自車両が走行している車線が隣接車線に合流することを検出し、合流することが検出された場合には、自車両から自車線が隣接車線へ合流する合流地点までの距離Ｄｉｓｔ＿ｌａｎｅを検出する。なお、自車両前方の画像に基づいて自車両の走行車線が隣接車線に合流することは、自車両前方の画像から検出した合流地点の白線形状（レーンマーカーの形状）や標識から判定することが可能であり、公知の技術であるので説明は省略する。また、本実施例においては撮像部が撮像した車両前方の画像から車両の走行車線が隣接車線に合流することや合流地点までの距離Ｄｉｓｔ＿ｌａｎｅを検出しているがこれに限定されない。例えばナビゲーション装置の地図情報から合流地点を検出し、検出した合流地点とＧＰＳを用いて検出した自車両位置とに基づいて合流地点までの距離Ｄｉｓｔ＿ｌａｎｅを検出するものであっても良い。
【０１９１】
また図１２は、第５実施形態の処理を説明するフローチャートである。この図１２のフローチャートは、上述の第１実施形態のフローチャート（図４参照）におけるステップＳ１１５の処理を省略すると共に、ステップＳ１２５を追加したものである。その他の処理は上述の第１実施形態と同様であるので以下では説明を省略する。
【０１９２】
ステップＳ１２５では、制駆動力コントロールユニット８は、自車両が側方障害物を追い抜いている状態に応じて後述するゲインＫ３ｒｅｃｖ（≦１）を算出する。ここで、ゲインＫ３ｒｅｃｖは、自車両が側方障害物を追い抜いていると判定されるほど（追い抜き状態の確度が高いほど）小さい値となる。
【０１９３】
以下、ステップＳ１２５で行なわれるゲインＫ３ｒｅｃｖの算出方法について説明する。図１３は、ステップＳ１２５で行なわれるゲインＫ３ｒｅｃｖの算出処理手順を示すフローチャートである。
【０１９４】
先ず、ステップＳ１０５１で、制駆動力コントロールユニット８は、各種データを取得してステップＳ１０５２に移行する。ここでは、上記した図４のステップＳ１０と同様に車輪速センサ２２ＦＬ〜２２ＲＲ、操舵角センサ１９、アクセル開度センサ１８、マスタシリンダ圧センサ１７の各センサが検出した、各車輪速度Ｖｗｉ、操舵角δ、アクセル開度θｔ、マスタシリンダ液圧Ｐｍ、及び方向指示スイッチ２０の方向スイッチ信号、撮像部１３で検出されたヨー角φｆ、横変位Ｘｆ、及び走行車線の曲率β、レーダー装置２４Ｌ／Ｒ（側方障害物検出手段５０）にて検出された側方障害物の情報の他に、前方障害物の情報、及び自車走行レーンの合流状況を取得する。
【０１９５】
ここで、前方障害物の情報は、レーダー装置２３で検出された前方障害物との距離Ｄｉｓｔ＿ｐｒｅ、前方障害物との相対速度Ｒｅｌｖｓｐ＿ｐｒｅである。また、自車走行レーンの合流状況は、自車両から車両前方の合流地点までの距離Ｄｉｓｔ＿ｌａｎｅである。
ステップＳ１０５２では、上述の図４のフローチャートにおけるステップＳ５５と同様の処理により、追い抜き確度量αＬ１を算出する。
【０１９６】
次に、ステップＳ１０５３では、制駆動力コントロールユニット８は、図４のステップＳ５５と同様に、上記ステップＳ１０５２で算出した追い抜き確度量αＬ１が追い抜き検出用の閾値「Ｄ＿αＬ１（＜１）」より小さいか否かを判定する。そして、αＬ１≧Ｄ＿αＬ１である場合には追い抜き状態では無いと判定してステップＳ１０５４に移行し、ゲインＫ３ｒｅｃｖ＝１に設定してから左側用ゲインＫ３ｒｅｃｖの算出処理を終了する。
【０１９７】
一方、上記ステップＳ１０５３でαＬ１＜Ｄ＿αＬ１であると判定した場合には追い抜き状態であると判定してステップＳ１０５５に移行し、追い抜き状態を検出してから（αＬ１≧Ｄ＿αＬ１の状態からαＬ１＜Ｄ＿αＬ１となってから）所定時間が経過したか否かを判定する。そして、所定時間が経過している場合には上記ステップＳ１０５４に移行し、所定時間が経過していない場合にはステップＳ１０５６に移行する。
【０１９８】
ステップＳ１０５６では、制駆動力コントロールユニット８は、上記ステップＳ１０５１で取得した運転者による運転操作に基づいて、上述の図４のフローチャートにおけるステップＳ６０と同様の処理により、左側用車線変更検出確度量αＬ２を算出する。
【０１９９】
次に、ステップＳ１０５７では、制駆動力コントロールユニット８は、上記ステップＳ１０５１で取得した前方障害物の情報に基づいて、前方障害物への接近判定量α３を算出する。
前方障害物の情報としては、前方障害物との距離Ｄｉｓｔ＿ｐｒｅ、前方障害物の相対速度Ｒｅｌｖｓｐ＿ｐｒｅを用いる。
【０２００】
先ず、次式をもとに、自車両が前方障害物に到達するまでの到達時間（障害物到達時間）ＴＴＣを算出する。
ＴＴＣ＝Ｄｉｓｔ＿ｐｒｅ／Ｒｅｌｖｓｐ＿ｐｒｅ  ………（２６）
そして、算出した到達時間ＴＴＣが小さいほど前方障害物への接近判定量α３が小さくなるように、当該接近判定量α３を算出する。
【０２０１】
次に、ステップＳ１０５８では、制駆動力コントロールユニット８は、上記ステップＳ１０５１で取得した自車走行レーン前方かつ側方の合流状況に基づいて、合流状況判定量α４を算出する。
自車走行レーン前方かつ側方の合流状況としては、図１４に示すように、自車両から合流地点までの距離Ｄｉｓｔ＿ｌａｎｅを用いる。
【０２０２】
先ず、合流地点までの距離Ｄｉｓｔ＿ｌａｎｅ、自車両速度Ｖ及び自車両加速度ｄＶに基づいて、自車両が合流地点に到達するまでの到達時間（合流地点到達時間）Ｔｇを算出する。そして、算出した到達時間Ｔｇが小さいほど合流状況判定量α４が小さくなるように、当該合流状況判定量α４を算出する。
【０２０３】
次に、ステップＳ１０５９では、制駆動力コントロールユニット８は、上記ステップＳ１０５２で算出した追い抜き確度量αＬ１、上記ステップＳ１０５６で算出した左側用車線変更検出確度量αＬ２、上記ステップＳ１０５７で算出した接近判定量α３及び上記ステップＳ１０５８で算出した合流状況判定量α４に基づいて、左側用ゲインＫ３ｒｅｃｖを算出する。
Ｋ３ｒｅｃｖ＝αＬ１・αＬ２・α３・α４  ………（２７）
また、このステップＳ１０５では、右側用ゲインＫ３ｒｅｃｖも算出する。右側用ゲインＫ３ｒｅｃｖは、次式をもとに算出する。
Ｋ３ｒｅｃｖ＝αＲ１・αＲ２・α３・α４  ………（２８）
【０２０４】
右側用追い抜き確度量αＲ１は、自車両の右側側方障害物の情報に基づいて、前述した左側用追い抜き確度量αＬ１と同様の手順により算出する。
右側用側方障害物方向への車線変更検出確度量αＲ２は、運転者による運転操作に基づいて、左側への車線変更検出確度量αＬ２と同様の手順により算出する。また、前方障害物への接近判定量α３及び合流状況判定量α４は、左側用と右側用とで共通の値を用いる。
このようにしてステップＳ１２５ではゲインＫ３ｒｅｃｖを算出してステップＳ１３０へ進む。
【０２０５】
次に、ステップＳ１３０にて、制駆動力コントロールユニット８は、目標ヨーモーメントＭｓを設定する。
障害物接近防止制御判断フラグＦｏｕｔ＿ｏｂｓｔがＯＦＦの場合には、目標ヨーモーメントＭｓを０に設定して、ステップＳ１４０に移行する。
【０２０６】
一方、障害物接近防止制御判断フラグＦｏｕｔ＿ｏｂｓｔがＯＮの場合には、目標ヨーモーメントＭｓを次式により算出し、ステップＳ１４０に移行する。
Ｍｓ＝Ｋ１ｒｅｃｖ・Ｋ２ｒｅｃｖ・ΔＸｓ・Ｋ３ｒｅｃｖ  ………（２９）
ΔＸｓ＝（Ｋ１ｍｏｎ・φｆ＋Ｋ２ｍｏｎ・φｍ）
ここで、Ｋ１ｒｅｃｖ、Ｋ２ｒｅｃｖ、Ｋ１ｍｏｎ、Ｋ２ｍｏｎは、上述の式（１８）と同様にして設定されたゲインである。
【０２０７】
上記（２９）式によれば、白線とのヨー角φや運転者が切り増しをしたステアリングによって定常的に発生するヨーレートが大きくなるほど、目標ヨーモーメントＭｓは大きくなる。
その他の構成は第１及び第２実施形態と同様である。
【０２０８】
（動作）
次に、第５実施形態の動作について、図１５を参照しながら説明する。
今、図１５（ａ）に示すように、自車両ＭＭが左側側方障害物ＳＭと略同一の速度で並走しているものとする。この場合には、自車両ＭＭが側方障害物ＳＭを追い抜いている状態ではないため、左側用追い抜き確度量αＬ１≧Ｄ＿αＬ１となる（図１３のステップＳ１０５３）。そのため、左側用の制御に用いるゲインはＫ３ｒｅｃｖ＝１となる（ステップＳ１０５４）。
【０２０９】
先ず、自車両の走行状態であるヨー角φｆ、ヨー角速度φｍ等に基づいて、前方注視時間Ｔｔ後の自車両の将来位置として自車両予測位置ΔＸｂを算出する（ステップＳ９０）。そして、運転者による操舵操作（図１５（ａ）のα）によって自車両ＭＭが障害物ＳＭ側へ向かうことにより、警報用の前方注視時間（Ｔｔ・Ｋｂｕｚｚ）を用いて算出した自車両予測位置ΔＸｂがΔＯ以上となると、運転者に対して警報を発する（ステップＳ１２０）。その後も運転者が自車両の軌道修正等を行わず、制御用の前方注視時間Ｔｔを用いて算出した自車両予測位置ΔＸｂがΔＯ以上となると、障害物回避のための制御の開始を判定する（ステップＳ１１０）。
【０２１０】
制御開始と判定すると、自車両予測位置ΔＸｂに基づいて、制御量として目標ヨーモーメントＭｓを算出する（ステップＳ１３０）。このとき、前述したようにＫ３ｒｅｃｖ＝１であるため、目標ヨーモーメントＭｓの大きさの抑制は行わない。
そして、このようにして算出した目標ヨーモーメントＭｓが発生するように制駆動力を制御する（ステップＳ１４０）。これにより、障害物ＳＭへの接近を防止する方向に自車両ＭＭを制御する（図１５（ａ）のβ１）。
【０２１１】
したがって、運転者が側方障害物を認識せずに当該側方障害物へ接近する方向へ操舵操作を行った場合には、適切に側方障害物への接近を防止することができる。
一方、図１５（ｂ）に示すように、自車両ＭＭが側方障害物ＳＭより大きな速度で追い抜いてから側方障害物ＳＭへ接近する方向へ操舵操作を行ったものとする。この場合には、自車両ＭＭが側方障害物ＳＭを追い抜いている状態であると判定するため、左側用追い抜き確度量αＬ１＜Ｄ＿αＬ１となる（ステップＳ１０５２）。そのため、左側用の制御に用いるゲインはＫ３ｒｅｃｖ＜１となる（ステップＳ１０５９）。
【０２１２】
左側側方障害物ＳＭを追い抜いた後に、運転者が障害物ＳＭ側への操舵操作（図１５（ｂ）のα）を行うと、制御用の前方注視時間Ｔｔを用いて算出した自車両予測位置ΔＸｂがΔＯ以上となって支援制御開始と判定する。すると、自車両予測位置ΔＸｂに基づいて目標ヨーモーメントＭｓを算出する（ステップＳ１３０）。このとき、前述したようにＫ３ｒｅｃｖ＜１であるため、自車両予測位置ΔＸｂが同じであっても、図１５（ａ）に示す追い抜き状態でない場合と比較して目標ヨーモーメントＭｓの大きさ、すなわち制御量を小さく算出することになる。したがって、障害物ＳＭへの接近を防止する障害物接近防止制御が抑制される（図１５（ａ）のβ２）。
【０２１３】
このように、自車両が側方障害物を追い抜いている状態であることを検出すると、追い抜き状態を検出していない場合と比較して障害物接近防止制御の制御量を抑制する。側方障害物を追い抜いている場合には、運転者が側方障害物を認識している状態であると考えられる。そのため、このような場合には上記制御量を抑制することで、障害物接近防止制御が十分に作動して自車両が側方障害物から遠ざかる方向へ制御されることに起因する運転者の違和感を低減することができる。
【０２１４】
また、追い抜き状態の確度が高いほど（追い抜き確度量が小さいほど）、上記制御量の抑制量を大きくするので、より運転者に違和感を与えることなく支援制御を行うことができる。
さらに、自車両が側方障害物を追い抜いた後に運転者の操舵意図の確度が高いほど（車線変更検出確度量が小さいほど）、障害物接近防止制御の制御量の抑制量を大きくする。そのため、運転者は違和感なく操舵を行うことができる。
【０２１５】
また、自車両が前方障害物へ接近している場合や、自車走行車線前方に合流地点が存在する場合など、自車両が側方障害物を追い抜いた後に運転者に操舵意図が発生する可能性が高い状況では、障害物接近防止制御の制御量を大きく抑制する。そのため、より運転者に与える違和感を低減することができる。
【０２１６】
ここで、レーダー装置２３が前方障害物検出手段を構成する。撮像部１３は合流地点検出手段を構成する。図１３のステップＳ１０５３が追い抜き検出手段を構成し、ステップＳ１０５６〜Ｓ１０５９が制御抑制手段を構成している。また、ステップＳ１０５７が障害物到達時間算出手段を構成し、ステップＳ１０５８が合流地点到達時間算出手段を構成している。
【０２１７】
（本実施形態の効果）
（１）側方障害物検出手段は、少なくとも自車両の後側方を障害物検出エリアとし、その障害物検出エリアに存在する障害物を検出する。障害物接近防止制御手段は、上記障害物に対する自車両の接近を防止するように自車両を制御する。追い抜き検出手段は、自車両を基準とした上記障害物の情報に基づき、自車両が上記障害物を追い抜いている状態若しくは追い抜いた状態になると予測される状態の少なくとも一方の状態である追い抜き状態を検出する。制御抑制手段は、上記追い抜き検出手段の検出に基づき追い抜き状態と判定すると、当該追い抜き状態と判定しない場合に比較して、上記障害物接近防止制御手段による制御量を抑制することにより上記障害物接近防止制御を抑制する。
【０２１８】
このように、自車両が側方障害物を追い抜いている状態を検出した場合、追い抜き状態を検出していないときと比較して、側方障害物への接近を防止するための制御の制御量を抑制する。そのため、運転者が側方障害物を認識しながら当該側方障害物へ接近する方向へ操舵を行った場合に、側方障害物への接近が防止されるのを抑制することができる。
したがって、運転者に違和感のある制御作動を抑制しつつ、適切に障害物への接近を防止することができる。
【０２１９】
（２）変更意図検出手段は、運転者の車線変更の意図（運転者による側方障害物への接近方向の運転操作）を検出する。制御抑制手段は、追い抜き検出手段で追い抜き状態を検出した後、所定時間の間に変更意図検出手段で側方障害物への接近方向の運転操作を検出したとき、障害物接近防止制御の制御量の抑制量を大きくする。
【０２２０】
このように、自車両が側方障害物を追い抜いた後に、側方障害物方向への接近操作（障害物方向への車線変更意思）を検出した場合には、障害物接近防止制御の抑制量が大きくなるよう補正する。そのため、運転者の違和感を効果的に低減することができる。
【０２２１】
（３）前方障害物検出手段は、自車両前方に存在する障害物を検出する。障害物到達時間算出手段は、自車両が前方障害物検出手段で検出した前方障害物に到達するまでの障害物到達時間を算出する。制御抑制手段は、到達時間算出手段で算出した障害物到達時間が短いほど、障害物接近防止制御の制御量の抑制量を大きくする。
したがって、自車両が側方障害物を追い抜いた後に当該障害物方向への接近操作が予測される状況において、障害物接近防止制御の抑制量を大きくなるよう補正することができる。そのため、運転者の違和感を効果的に低減することができる。
【０２２２】
（４）合流地点検出手段は、自車走行車線前方かつ側方の合流地点を検出する。合流地点到達時間算出手段は、自車両が合流地点検出手段で検出した合流地点に到達するまでの合流地点到達時間を算出する。制御抑制手段は、合流地点到達時間算出手段で算出した合流地点到達時間が短いほど、障害物接近防止制御の制御量の抑制量を大きくする。
したがって、自車両が側方障害物を追い抜いた後に当該障害物方向への接近操作が予測される状況において、障害物接近防止制御の抑制量を大きくなるよう補正することができる。そのため、運転者の違和感を効果的に低減することができる。
【０２２３】
（５）自車両側方の側方障害物を検出すると、当該側方障害物に自車両が接近することを防止するように運転者の操作を支援する障害物接近防止制御を行う。その際、少なくとも自車両を基準とした側方障害物の情報に基づいて、自車両が上記側方障害物を追い抜いている追い抜き状態を検出した場合、追い抜き状態を非検出であるときと比較して上記障害物接近防止制御の制御量を抑制する。
したがって、運転者が側方障害物を認識しながら操舵を行う場合における違和感のある制御作動を抑制しつつ、適切に障害物への接近を防止することができる。
【０２２４】
（変形例）
（１）上記第５実施形態においては、図１３のステップＳ１０５３で、自車両の追い抜き状態を検出すると、障害物接近防止制御の制御量を抑制する場合について説明したが、自車両の追い抜き状態を検出した後、予め定められた所定時間は継続して障害物接近防止制御の制御量を抑制するようにしても良い。また、上記所定時間は自車両が所定距離走行するまで（所定距離走行するのに必要な時間が経過するまで）障害物接近防止制御の制御量を抑制するようにしてもよい。
更には、上記所定時間は、自車両の追い抜き状態を検出した後、自車両と側方障害物との相対距離が所定距離となるまで（相対距離が所定距離となるのに必要な時間が経過するまで）障害物接近防止制御の制御量を抑制するようにしてもよい。
【０２２５】
（２）上記第５実施形態においては、自車両の追い抜き状態を検出した後の側方障害物への接近操舵の検出／予測結果に応じて、障害物接近防止制御の制御量の抑制量を設定する場合について説明したが、少なくとも自車両の追い抜き状態の検出結果に応じて上記抑制量を設定すればよい。すなわち、図１３の処理において、αＬ２（αＲ２）＝１、α３＝１、α４＝１としてもよい。この場合には、単純に自車両の追い抜き状態を検出した場合、当該追い抜き状態の確度に応じて障害物接近防止制御の制御量を抑制することになる。これにより、簡易な構成で、運転者が側方障害物を認識しながら操舵を行う場合における違和感のある制御作動を抑制することができる。
【０２２６】
（３）上記第５実施形態においては、自車両の追い抜き状態を検出した場合（図１３のステップＳ１０５３で肯定判定された場合）に障害物接近防止制御の制御量の抑制量を設定する場合について説明したが、自車両の追い抜き状態を検出し、且つ自車両の運転者に操舵意図が有る場合にのみ障害物接近防止制御の制御量の抑制量を設定しても良い。すなわち、自車両の追い抜き状態を検出した場合に、車線変更検出確度量αＬ２（αＲ２）が予め定められた所定の閾値以下であるか否かを判定し、車線変更検出確度量αＬ２（αＲ２）が予め定められた所定の閾値以下である場合に運転者に車線変更意図が有ると判定して障害物接近防止制御の制御量の抑制量を設定しても良い。
【０２２７】
（４）また、運転者に車線変更意図が有ることを判定する方法は、上述の様に車線変更検出確度量αＬ２（αＲ２）に基づいて判定する方法に限定されない。例えば、第１の実施形態に記載したように車両挙動や自車両の白線（レーンマーカー）に対する相対的な動き、あるいは自車両の障害物に対する横方向の速度等によって判定しても良い。
【０２２８】
なお、上記第１実施形態から第４実施形態においては、自車両が他車両を追い抜いた場合に制御開始の判定を抑制することにより障害物接近防止制御を抑制しており、また、上記第５実施形態おいては自車両が他車両を追い抜いた場合に制御量を抑制することにより障害物接近防止制御を抑制しているが、本願発明はこれに限定されない。すなわち、自車両が他車両を追い抜いた場合に制御開始の判定を抑制すると共に制御量を抑制しても良い。
【０２２９】
この場合には、制御の抑制を行う場合における自由度が向上する。
【符号の説明】
【０２３０】
８Ａ  将来位置予測手段
８Ｂ  障害物接近防止制御手段
８Ｂａ  制御抑制手段
８Ｃ  追い抜き検出手段
８Ｄ  変更意図検出手段
１３  撮像部（合流地点検出手段）
２３  レーダー装置（前方障害物検出手段）
２４Ｌ／Ｒ  レーダー装置（側方障害物検出手段）
５０  側方障害物検出手段
ＭＭ  自車両
ＳＭ  障害物
Ｔｔ  前方注視時間
Ｋ−ＡＲＥＡ  障害物検出エリア
【図１】
2011148479.tif 000003
【図２】
2011148479.tif 000004
【図３】
2011148479.tif 000005
【図４】
2011148479.tif 000006
【図５】
2011148479.tif 000007
【図６】
2011148479.tif 000008
【図７】
2011148479.tif 000009
【図８】
2011148479.tif 000010
【図９】
2011148479.tif 000011
【図１０】
2011148479.tif 000012
【図１１】
2011148479.tif 000013
【図１２】
2011148479.tif 000014
【図１３】
2011148479.tif 000015
【図１４】
2011148479.tif 000016
【図１５】
2011148479.tif 000017